(57)【要約】【課題】配置方向の影響を低減し冷房時の性能低下も回避できる熱交換器を提供する。【解決手段】冷媒流れの上流側に設けられている上流側内部空間（２３２）と、冷媒流れの下流側に設けられている下流側内部空間（２３３）とが形成され、上流側内部空間（２３２）と下流側内部空間（２３３）とを仕切ると共に冷媒の流れを堰き止める仕切部（２３４）と、仕切部（２３４）を迂回して上流側内部空間（２３２）と下流側内部空間（２３３）とを繋ぐ接続流路（２３１）とが設けられている。接続流路（２３１）が上流側内部空間（２３２）に繋がる流路流入部分（２３１ａ）は、タンク（２１，２３）の長手方向と交わる方向に延びている。【選択図】図１
2019100568.tif 000002
【特許請求の範囲】
【請求項１】
ヒートポンプサイクルに用いられ、冷房時には凝縮器として機能する一方で、暖房時には蒸発器として機能する熱交換器であって、
前記ヒートポンプサイクルを流れる冷媒が流入する流入部（２１１，２１１Ａ，２１１Ｃ，２３１Ｄ，２１１Ｈ，２１１Ｊ，２１１Ｎ）と、
前記流入部から流入した冷媒が空気と熱交換をしながら流れる熱交換部（２２，２２Ａ，２２Ｃ，２２Ｄ，２２Ｍ，２２Ｎ）と、
前記熱交換部を流れた冷媒をヒートポンプサイクルに流出させる流出部（２１２，２１２Ａ，２１２Ｃ，２３１Ｄ，２３１Ｊ，２１２Ｎ）と、
前記流入部から前記流出部の間において前記熱交換部に流入する冷媒を分散するためのタンク（２１，２１Ａ，２１Ｃ，２１Ｄ，２１Ｆ，２１Ｇ，２１Ｈ，２１Ｊ，２１Ｋ，２１Ｍ，２１Ｎ，２３，２３Ａ，２３Ｂ，２３Ｃ，２３Ｆ，２３Ｇ，２３Ｊ，２３Ｋ，２３Ｌ，２３Ｍ，２３Ｎ，２３Ｐ，２３Ｑ，２３Ｒ）と、を備え、
前記タンクには、
冷媒流れの上流側に設けられている上流側内部空間（２３２，２３２Ａ，２３２Ｃ，２１３Ｄ，２３２Ｆ，２３２Ｇ，２１３Ｈ，２１３Ｊ，２３２Ｋ，２３２Ｌ，２３２Ｍ，２３２Ｎ，２３２Ｑ，２３２Ｒ）と、冷媒流れの下流側に設けられている下流側内部空間（２３３，２３３Ａ，２３３Ｃ，２１５Ｄ，２３３Ｆ，２３３Ｇ，２１５Ｈ，２１５Ｊ，２３３Ｋ，２３３Ｌ，２３３Ｍ，２３３Ｎ，２３３Ｑ，２３３Ｒ）とが形成され、
前記上流側内部空間と前記下流側内部空間とを仕切ると共に冷媒の流れを堰き止める仕切部（２３４，２３４Ａ，２３４Ｃ，２１４Ｄ，２３４Ｆ，２３４Ｇ，２１４Ｈ，２１４Ｊ，２３４Ｋ，２３４Ｌ，２３４Ｍ，２３４Ｎ，２３４Ｑ，２３４Ｒ）と、前記仕切部を迂回して前記上流側内部空間と前記下流側内部空間とを繋ぐ接続流路（２３１，２３１Ａ，２３１Ｂ，２３１Ｃ，２１２Ｄ，２１２Ｅ，２３１Ｆ，２３１Ｇ，２１２Ｈ，２１２Ｊ，２３１Ｋ，２３１Ｌ，２３１Ｍ，２３１Ｎ，２３１Ｐ，２３１Ｑ，２３１Ｒ）とが設けられており、
前記接続流路が前記上流側内部空間に繋がる流路流入部分（２３１ａ，２３１Ａａ，２３１Ｂａ，２３１Ｃａ，２１２Ｄａ，２１２Ｅａ，２３１Ｆａ，２３１Ｇａ，２１２Ｈａ，２１２Ｊａ，２３１Ｋａ，２３１Ｌａ，２３１Ｍａ，２３１Ｎａ，２３１Ｐａ，２３１Ｑａ，２３１Ｒａ）は、前記タンクの長手方向と交わる方向に延びている、熱交換器。
【請求項２】
請求項１に記載の熱交換器であって、
前記接続流路が前記下流側内部空間に繋がる流路流出部分（２３１ｂ，２３１Ａｂ，２３１Ｃｂ，２１２Ｅｂ，２３１Ｍｂ，２３１Ｎｂ）と前記仕切部との距離は、前記流路流入部分と前記仕切部との距離よりも長い、熱交換器。
【請求項３】
請求項１又は２に記載の熱交換器であって、
前記接続流路は、前記仕切部よりも冷媒流れ方向の下流側に延びている、熱交換器。
【請求項４】
請求項１から３のいずれか１項に記載の熱交換器であって、
前記タンクは、前記流入部及び前記流出部が設けられている流出入タンク（２１，２１Ａ，２１Ｃ，２１Ｆ，２１Ｇ，２１Ｎ）と、前記熱交換部から流出した冷媒を前記熱交換部に戻すターン側タンク（２３，２３Ａ，２３Ｂ、２３Ｃ，２３Ｆ，２３Ｇ，２３Ｎ，２３Ｐ，２３Ｑ）と、を含み、
前記流出入タンクには、前記流入部に繋がる流入側内部空間（２１３，２１３Ａ，２１３Ｃ，２１３Ｆ，２１３Ｇ，２１３Ｎ）と、前記流出部に繋がる流出側内部空間（２１５，２１５Ａ，２１５Ｃ，２１５Ｆ，２１５Ｇ，２１５Ｎ）と、前記流入側内部空間と前記流出側内部空間とを仕切る流出入仕切部（２１４，２１４Ａ，２１４Ｃ，２１４Ｆ，２１４Ｇ，２１４Ｎ）と、が設けられており、
前記ターン側タンクには、前記上流側内部空間と、前記下流側内部空間と、前記仕切部と、が設けられており、
前記流出入仕切部と前記仕切部とは、前記熱交換部を冷媒が流れる方向において対向するように配置されている、熱交換器。
【請求項５】
請求項１から３のいずれか１項に記載の熱交換器であって、
前記タンクは、前記流入部及び前記流出部が設けられている流出入タンク（２１Ｋ，２１Ｍ）と、前記熱交換部から流出した冷媒を前記熱交換部に戻すターン側タンク（２３Ｋ，２３Ｌ，２３Ｍ，２３Ｒ）と、を含み、
前記流出入タンクには、前記流入部に繋がる流入側内部空間（２１３Ｋ，２１３Ｍ）と、前記流出部に繋がる流出側内部空間（２１５Ｋ，２１５Ｍ）と、前記流入側内部空間と前記流出側内部空間とを仕切る流出入仕切部（２１４Ｋ，２１４Ｍ）と、が設けられており、
前記ターン側タンクには、前記上流側内部空間と、前記下流側内部空間と、前記仕切部と、が設けられており、
前記仕切部は、前記流出入仕切部よりも前記流出部側に偏倚するように配置されている、熱交換器。
【請求項６】
請求項１から５のいずれか１項に記載の熱交換器であって、
前記タンクは、その長手方向が重力上下方向に沿うように配置されている、熱交換器。
【請求項７】
請求項１から６のいずれか１項に記載の熱交換器であって、
前記接続流路が前記下流側内部空間に繋がる流路流出部分は少なくとも２分岐されている、熱交換器。
【発明の詳細な説明】
【技術分野】
【０００１】
本開示は、ヒートポンプサイクルに用いられ、冷房時には凝縮器として機能する一方で、暖房時には蒸発器として機能する熱交換器に関する。
【背景技術】
【０００２】
ヒートポンプサイクルに用いられ、冷房時には凝縮器として機能する一方で、暖房時には蒸発器としての機能する熱交換器は、凝縮器としての機能を果たすと共に蒸発器としての機能を果たすことが求められる。暖房時には気液二相冷媒が熱交換器に流入する。熱交換器に流入した気液二相冷媒は、タンクにおいてチューブに分配される。チューブを流れる気液二相冷媒は、蒸発することで空気から多くの熱を吸収している。しかしながら、気液二相冷媒を構成する気相冷媒と液相冷媒とを比較すると、液相冷媒の比重が大きいため、気相冷媒よりも慣性力や重力の影響を受けやすく、タンクにおいて均等に分散されず、一端側に偏在しやすくなる。タンク内に偏在してしまった液相冷媒は、チューブの一部にのみ流れ込むことになり、残部のチューブには気相冷媒のみが流れ込むことになる。このため、液相冷媒が完全に蒸発しなくなり、熱交換器の性能が低下する。
【０００３】
下記特許文献１に記載の熱交換器はこの課題を解決するため、タンク内に冷媒の流れを受ける仕切板を設けている。この仕切板には穴が設けられており、この穴を通って冷媒が流れるように構成されている。
【先行技術文献】
【特許文献】
【０００４】
【特許文献１】米国特許出願公開第２０１５／００５３３８３号明細書
【発明の概要】
【発明が解決しようとする課題】
【０００５】
特許文献１では、タンクの長手方向を重力上下方向に沿うように配置し、上方から冷媒を導入するようにしてしまうと、気液二相冷媒に対する重力の影響が大きくなり、仕切板に設けた効果が極めて薄くなる。更に、冷房時においては、仕切板を設けていることに起因する冷媒圧力損失が大きくなり、冷房性能が低下してしまうことになる。
【０００６】
本開示は、配置方向の影響を低減し冷房時の性能低下も回避できる熱交換器を提供することを目的とする。
【課題を解決するための手段】
【０００７】
本開示は、ヒートポンプサイクルに用いられ、冷房時には凝縮器として機能する一方で、暖房時には蒸発器として機能する熱交換器であって、前記ヒートポンプサイクルを流れる冷媒が流入する流入部（２１１，２１１Ａ，２１１Ｃ，２３１Ｄ，２１１Ｈ，２１１Ｊ，２１１Ｎ）と、前記流入部から流入した冷媒が空気と熱交換をしながら流れる熱交換部（２２，２２Ａ，２２Ｃ，２２Ｄ，２２Ｍ，２２Ｎ）と、前記熱交換部を流れた冷媒をヒートポンプサイクルに流出させる流出部（２１２，２１２Ａ，２１２Ｃ，２３１Ｄ，２３１Ｊ，２１２Ｎ）と、前記流入部から前記流出部の間において前記熱交換部に流入する冷媒を分散するためのタンク（２１，２１Ａ，２１Ｃ，２１Ｄ，２１Ｆ，２１Ｇ，２１Ｈ，２１Ｊ，２１Ｋ，２１Ｍ，２１Ｎ，２３，２３Ａ，２３Ｂ，２３Ｃ，２３Ｆ，２３Ｇ，２３Ｊ，２３Ｋ，２３Ｌ，２３Ｍ，２３Ｎ，２３Ｐ，２３Ｑ，２３Ｒ）と、を備えている。
【０００８】
前記タンクには、冷媒流れの上流側に設けられている上流側内部空間（２３２，２３２Ａ，２３２Ｃ，２１３Ｄ，２３２Ｆ，２３２Ｇ，２１３Ｈ，２１３Ｊ，２３２Ｋ，２３２Ｌ，２３２Ｍ，２３２Ｎ，２３２Ｑ，２３２Ｒ）と、冷媒流れの下流側に設けられている下流側内部空間（２３３，２３３Ａ，２３３Ｃ，２１５Ｄ，２３３Ｆ，２３３Ｇ，２１５Ｈ，２１５Ｊ，２３３Ｋ，２３３Ｌ，２３３Ｍ，２３３Ｎ，２３３Ｑ，２３３Ｒ）とが形成され、前記上流側内部空間と前記下流側内部空間とを仕切ると共に冷媒の流れを堰き止める仕切部（２３４，２３４Ａ，２３４Ｃ，２１４Ｄ，２３４Ｆ，２３４Ｇ，２１４Ｈ，２１４Ｊ，２３４Ｋ，２３４Ｌ，２３４Ｍ，２３４Ｎ，２３４Ｑ，２３４Ｒ）と、前記仕切部を迂回して前記上流側内部空間と前記下流側内部空間とを繋ぐ接続流路（２３１，２３１Ａ，２３１Ｂ，２３１Ｃ，２１２Ｄ，２１２Ｅ，２３１Ｆ，２３１Ｇ，２１２Ｈ，２１２Ｊ，２３１Ｋ，２３１Ｌ，２３１Ｍ，２３１Ｎ，２３１Ｐ，２３１Ｑ，２３１Ｒ）とが設けられている。前記接続流路が前記上流側内部空間に繋がる流路流入部分（２３１ａ，２３１Ａａ，２３１Ｂａ，２３１Ｃａ，２１２Ｄａ，２１２Ｅａ，２３１Ｆａ，２３１Ｇａ，２１２Ｈａ，２１２Ｊａ，２３１Ｋａ，２３１Ｌａ，２３１Ｍａ，２３１Ｎａ，２３１Ｐａ，２３１Ｑａ，２３１Ｒａ）は、前記タンクの長手方向と交わる方向に延びている。
【０００９】
本開示では、上流側内部空間と下流側内部空間とを仕切ると共に冷媒の流れを堰き止める仕切部が設けられているので、上流側内部空間に流れ込んだ冷媒が下流側内部空間に向かおうとする慣性力を堰き止めることができる。接続流路が上流側内部空間に繋がる流路流入部分は、タンクの長手方向と交わっているので、慣性力が減じられた冷媒を接続流路に導入することができる。接続流路は下流側内部空間に繋がっているので、一旦慣性力が減じられ、接続流路の長さに応じた慣性力が付加された冷媒を下流側内部空間に導入することができる。慣性力が調整された冷媒は、下流側内部空間の局所に偏在することなく分散するので、暖房時に気液二相冷媒が導入される場合であっても、液相冷媒を分散性良く熱交換部に送り出すことができる。また、接続流路は、タンクの大きさに関わらず流路断面積を大きくとることができるので、圧力損失の増加を抑制することができる。
【００１０】
尚、「課題を解決するための手段」及び「特許請求の範囲」に記載した括弧内の符号は、後述する「発明を実施するための形態」との対応関係を示すものであって、「課題を解決するための手段」及び「特許請求の範囲」が、後述する「発明を実施するための形態」に限定されることを示すものではない。
【発明の効果】
【００１１】
本開示によれば、配置方向の影響を低減し冷房時の性能低下も回避できる熱交換器を提供することができる。
【図面の簡単な説明】
【００１２】
【図１】図１は、第１実施形態における熱交換器を説明するための断面図である。
【図２】図２は、第２実施形態における熱交換器を説明するための断面図である。
【図３】図３は、第１実施形態における熱交換器の変形例を説明するための断面図である。
【図４】図４は、第１実施形態における熱交換器の変形例を説明するための断面図である。
【図５】図５は、第３実施形態における熱交換器を説明するための断面図である。
【図６】図６は、第３実施形態における熱交換器の変形例を説明するための断面図である。
【図７】図７は、第４実施形態における熱交換器を説明するための断面図である。
【図８】図８は、第４実施形態における熱交換器の変形例を説明するための断面図である。
【図９】図９は、第５実施形態における熱交換器を説明するための断面図である。
【図１０】図１０は、第５実施形態における熱交換器の変形例を説明するための断面図である。
【図１１】図１１は、第６実施形態における熱交換器を説明するための断面図である。
【図１２】図１２は、第６実施形態における熱交換器の変形例を説明するための断面図である。
【図１３】図１３は、第６実施形態における熱交換器の変形例を説明するための断面図である。
【図１４】図１４は、第７実施形態における熱交換器を説明するための断面図である。
【図１５】図１５は、第７実施形態における熱交換器の変形例を説明するための断面図である。
【図１６】図１６は、第８実施形態における熱交換器を説明するための断面図である。
【図１７】図１７は、第９実施形態における熱交換器を説明するための断面図である。
【図１８】図１８は、第１実施形態における熱交換器の変形例を説明するための断面図である。
【発明を実施するための形態】
【００１３】
以下、添付図面を参照しながら本実施形態について説明する。説明の理解を容易にするため、各図面において同一の構成要素に対しては可能な限り同一の符号を付して、重複する説明は省略する。
【００１４】
図１を参照しながら第１実施形態に係る熱交換器２について説明する。熱交換器２は、ヒートポンプサイクルに用いられ、冷房時には凝縮器として機能する一方で、暖房時には蒸発器として機能する熱交換器である。
【００１５】
熱交換器２は、タンクとして流出入タンク２１及びターン側タンク２３と、熱交換部２２と、を備えている。図１においては、流出入タンク２１及びターン側タンク２３の長手方向に沿ってｙ軸を設定している。ｙ軸に直交し、流出入タンク２１からターン側タンク２３に伸びる方向に沿ってｘ軸を設定している。ｘ軸及びｙ軸に直交する方向に沿ってｚ軸を設定している。
【００１６】
流出入タンク２１には、流入側内部空間２１３と、流出側内部空間２１５と、が形成されている。流入側内部空間２１３と流出側内部空間２１５とは、流出入仕切部２１４によって仕切られている。
【００１７】
流入側内部空間２１３には、流入部２１１が繋がれている。流入部２１１には、ヒートポンプサイクルを流れる冷媒が流入する。流入部２１１から流入側内部空間２１３に流入する冷媒は、暖房時には気液二相冷媒であり、冷房時には気相冷媒である。
【００１８】
流出側内部空間２１５には、流出部２１２が繋がれている。流入部２１１から流入して熱交換部２２を通った冷媒は、流出部２１２からヒートポンプサイクルに還流する。
【００１９】
流入側内部空間２１３に流入した冷媒は、熱交換部２２に流れ込む。熱交換部２２は、上流側コア２２ａと、下流側コア２２ｂと、を備えている。流入側内部空間２１３に流入した冷媒は、上流側コア２２ａに流れ込む。
【００２０】
上流側コア２２ａ及び下流側コア２２ｂは、それぞれ、サイドプレート２２１と、チューブ２２２と、フィン２２３と、を備えている。
【００２１】
チューブ２２２とフィン２２３とは、交互に積層されている。交互に積層されたチューブ２２２及びフィン２２３は、一対のサイドプレート２２１によって挟まれている。熱交換部２２に流れ込む冷媒は、チューブ２２２を流れる。チューブ２２２を流れる冷媒は、隣接するチューブ２２２の間であってフィン２２３を通過する空気と熱交換しながら流れる。
【００２２】
上流側コア２２ａを流れた冷媒は、ターン側タンク２３に流れ込む。ターン側タンク２３には、上流側内部空間２３２と、下流側内部空間２３３と、が形成されている。上流側内部空間２３２と下流側内部空間２３３とは、仕切部２３４によって仕切られている。
【００２３】
仕切部２３４は、上流側内部空間２３２と下流側内部空間２３３とを仕切ると共に冷媒の流れを堰き止める機能を果たしている。仕切部２３４によって堰き止められた冷媒を流すため、上流側内部空間２３２を下流側内部空間２３３と繋ぐ接続流路２３１が設けられている。
【００２４】
接続流路２３１は、流路流入部分２３１ａと、流路流出部分２３１ｂと、を有している。流路流入部分２３１ａは、接続流路２３１が上流側内部空間２３２に繋がる部分である。流路流出部分２３１ｂは、接続流路２３１が下流側内部空間２３３に繋がる部分である。上流側コア２２ａを流れた冷媒は、上流側内部空間２３２に流れ込み、仕切部２３４によって一旦慣性力が減じられる。慣性力が減じられた冷媒は、流路流入部分２３１ａから接続流路２３１に流れ込む。接続流路２３１に流れ込んだ冷媒は、流路流出部分２３１ｂから下流側内部空間２３３に流れ込む。
【００２５】
流路流出部分２３１ｂは、下流側内部空間２３３の下方端に近接した部分に繋がれている。下流側内部空間２３３の下方端とは、下流側内部空間２３３において、仕切部２３４とは反対側の端部である。
【００２６】
流路流出部分２３１ｂにおいて慣性力が再び付加され、下流側内部空間２３３の下方端に導入される冷媒は、下流側コア２２ｂに向かって流れると共に仕切部２３４に向かっても流れる。従って、下流側コア２２ｂの下方に偏ることなく、冷媒の流れが形成される。
【００２７】
下流側コア２２ｂに流れ込んだ冷媒は、下流側コア２２ｂを構成するチューブ２２２を流れる。チューブ２２２を流れる冷媒は、隣接するチューブ２２２の間であってフィン２２３を通過する空気と熱交換しながら流れる。
【００２８】
下流側コア２２ｂを流れた冷媒は、流出入タンク２１の流出側内部空間２１５に流れ込む。流出側内部空間２１５に流れ込んだ冷媒は、流出部２１２から流出してヒートポンプサイクルに還流する。
【００２９】
上記したように、本実施形態の熱交換器２は、ヒートポンプサイクルを流れる冷媒が流入する流入部２１１と、流入部２１１から流入した冷媒が空気と熱交換をしながら流れる熱交換部２２と、熱交換部２２を流れた冷媒をヒートポンプサイクルに流出させる流出部２１２と、流入部２１１から流出部２１２の間において熱交換部２２に流入する冷媒を分散するためのタンクである流出入タンク２１及びターン側タンク２３と、を備えている。ターン側タンク２３には、冷媒流れの上流側に設けられている上流側内部空間２３２と、冷媒流れの下流側に設けられている下流側内部空間２３３とが形成され、上流側内部空間２３２と下流側内部空間２３３とを仕切ると共に冷媒の流れを堰き止める仕切部２３４と、仕切部２３４を迂回して上流側内部空間２３２と下流側内部空間２３３とを繋ぐ接続流路２３１とが設けられており、接続流路２３１が上流側内部空間２３２に繋がる流路流入部分２３１ａは、ターン側タンク２３の長手方向（図中ｙ軸方向）と交わる方向（図中ｘ軸方向）に延びている。
【００３０】
本実施形態では、上流側内部空間２３２と下流側内部空間２３３とを仕切ると共に冷媒の流れを堰き止める仕切部２３４が設けられているので、上流側内部空間２３２に流れ込んだ冷媒が下流側内部空間２３３に向かおうとする慣性力を堰き止めることができる。接続流路２３１が上流側内部空間２３２に繋がる流路流入部分２３１ａは、ターン側タンク２３の長手方向と交わっているので、慣性力が減じられた冷媒を接続流路２３１に導入することができる。接続流路２３１は下流側内部空間２３３に繋がっているので、一旦慣性力が減じられ、接続流路２３１の長さに応じた慣性力が付加された冷媒を下流側内部空間２３３に導入することができる。慣性力が調整された冷媒は、下流側内部空間２３３の局所に偏在することなく分散するので、暖房時に気液二相冷媒が導入される場合であっても、液相冷媒を分散性良く熱交換部２２に送り出すことができる。また、接続流路２３１は、ターン側タンク２３の大きさに関わらず流路断面積を大きくとることができるので、圧力損失の増加を抑制することができる。
【００３１】
尚、流路流入部２３１ａは、ターン側タンク２３の長手方向（図中ｙ軸方向）と直交する方向（図中ｘ軸方向）に延びるように設けられているが、必ずしも直交方向に設ける必要はない。図１８に示される熱交換器２Ｓは、熱交換器２のターン側タンク２３をターン側タンク２３Ｓに置換したものである。
【００３２】
ターン側タンク２３Ｓには、接続流路２３１Ｓが設けられている。接続流路２３１Ｓは、流路流入部分２３１Ｓａ及び流路流出部分２３１Ｓｂを有している。流路流入部分２３１Ｓａは、ターン側タンク２３Ｓの長手方向（図中ｙ軸方向）と直交する方向（図中ｘ軸方向）に対し、冷媒流入方向において下流側内部空間２３３に近づいて傾斜するように設けられている。流路流出部分２３１Ｓｂは、ターン側タンク２３Ｓの長手方向（図中ｙ軸方向）と直交する方向（図中ｘ軸方向）に対し、冷媒流出方向において上流側内部空間２３２から遠ざかって傾斜するように設けられている。
【００３３】
更に本実施形態では、接続流路２３１が下流側内部空間２３３に繋がる流路流出部（２３１ｂと仕切部２３４との距離は、流路流入部分２３１ａと仕切部２３４との距離よりも長い。
【００３４】
流路流出部分２３１ｂと仕切部２３４との距離を、流路流入部分２３１ａと仕切部２３４との距離よりも長くしているので、接続流路２３１において慣性力が付加された冷媒の一部が仕切部２３４に向かって流れる。冷媒は、流路流出部分２３１ｂから仕切部２３４に向かい、接続流路２３１によって付加された慣性力によって飛ばされるので、分散性を向上させることができる。
【００３５】
更に本実施形態では、接続流路２３１は、仕切部２３４よりも冷媒流れ方向の下流側に延びている。仕切部２３４によって慣性力が一旦減じられた冷媒を受け入れやすくなり、冷媒の分配性能をより向上させることができる。
【００３６】
更に本実施形態では、タンクは、流入部２１１及び流出部２１２が設けられている流出入タンク２１と、熱交換部２２から流出した冷媒を熱交換部２２に戻すターン側タンク２３と、を含んでいる。流出入タンク２１には、流入部２１１に繋がる流入側内部空間２１３と、流出部２１２に繋がる流出側内部空間２１５と、流入側内部空間２１３と流出側内部空間２１５とを仕切る流出入仕切部２１４と、が設けられている。ターン側タンク２３には、上流側内部空間２３２と、下流側内部空間２３３と、仕切部２３４と、が設けられている。流出入仕切部２１４と仕切部２３４とは、熱交換部２２を冷媒が流れる方向（図中ｘ軸方向）において対向するように配置されている。
【００３７】
流出入仕切部２１４と仕切部２３４とを、熱交換部２２を冷媒が流れる方向において対向するように配置することで、ターン側タンク２３における上流側内部空間２３２には熱交換部２２の上流側コア２２ａを流れた冷媒を導入し、下流側内部空間２３３から熱交換部２２の下流側コア２２ｂに分散性のよい冷媒を供給することができる。
【００３８】
タンクを構成するターン側タンク２３は、その長手方向が重力上下方向に沿うように配置されている。本実施形態では、ターン側タンク２３は、冷媒の流れが重力方向上方から下方に流れるように配置されている。ターン側タンク２３の長手方向が重力上下方向に沿うような冷媒の分散にとって厳しい環境であっても、仕切部２３４及び接続流路２３１の慣性力調整機能によって冷媒の分散性を確保することができる。
【００３９】
冷媒の分散性を向上させた熱交換器２は、貯液器及び調整弁と一体化された熱交換器に応用することもできる。図２に示される第２実施形態の熱交換器２Ａは、貯液器２４Ａ及び調整弁２５Ａと共に用いられるものである。
【００４０】
熱交換器２Ａは、タンクとして流出入タンク２１Ａ及びターン側タンク２３Ａと、熱交換部２２Ａと、を備えている。図２においては、流出入タンク２１Ａ及びターン側タンク２３Ａの長手方向に沿ってｙ軸を設定している。ｙ軸に直交し、流出入タンク２１Ａからターン側タンク２３Ａに伸びる方向に沿ってｘ軸を設定している。ｘ軸及びｙ軸に直交する方向に沿ってｚ軸を設定している。
【００４１】
流出入タンク２１Ａには、流入側内部空間２１３Ａと、流出側内部空間２１５Ａと、サブクール側内部空間２１８Ａと、が形成されている。流入側内部空間２１３Ａと流出側内部空間２１５Ａとは、流出入仕切部２１４Ａによって仕切られている。流出側内部空間２１５Ａとサブクール側内部空間２１８Ａとは、サブクール側仕切部２１７Ａによって仕切られている。
【００４２】
流入側内部空間２１３Ａには、流入部２１１Ａが繋がれている。流入部２１１Ａには、ヒートポンプサイクルを流れる冷媒が調整弁２５Ａを経由して流入する。流入部２１１Ａから流入側内部空間２１３Ａに流入する冷媒は、暖房時には気液二相冷媒であり、冷房時には気相冷媒である。
【００４３】
流出側内部空間２１５Ａには、流出部２１２Ａが繋がれている。流入部２１１Ａから流入して熱交換部２２Ａを通った冷媒は、流出部２１２Ａから貯液器２４Ａに流れ込み、ヒートポンプサイクルに還流する。冷房時においては、液相冷媒が貯液器２４Ａからサブクール側流入口２１６Ａを経由して、熱交換部２２Ａに流れ込む。暖房時においては、気相冷媒が貯液器２４Ａから調整弁２５Ａに流れる。
【００４４】
流入側内部空間２１３Ａに流入した冷媒は、熱交換部２２Ａに流れ込む。熱交換部２２Ａは、上流側コア２２Ａａと、下流側コア２２Ａｂと、サブクール側コア２２Ａｃと、を備えている。流入側内部空間２１３Ａに流入した冷媒は、上流側コア２２Ａａに流れ込む。
【００４５】
上流側コア２２Ａａ、下流側コア２２Ａｂ、及びサブクール側コア２２Ａｃは、それぞれ、サイドプレート２２１と、チューブ２２２と、フィン２２３と、を備えている。
【００４６】
チューブ２２２とフィン２２３とは、交互に積層されている。交互に積層されたチューブ２２２及びフィン２２３は、一対のサイドプレート２２１によって挟まれている。熱交換部２２Ａに流れ込む冷媒は、チューブ２２２を流れる。チューブ２２２を流れる冷媒は、隣接するチューブ２２２の間であってフィン２２３を通過する空気と熱交換しながら流れる。
【００４７】
上流側コア２２Ａａを流れた冷媒は、ターン側タンク２３Ａに流れ込む。ターン側タンク２３Ａには、上流側内部空間２３２Ａと、下流側内部空間２３３Ａと、サブクール側内部空間２３５Ａと、が形成されている。上流側内部空間２３２Ａと下流側内部空間２３３Ａとは、仕切部２３４Ａによって仕切られている。下流側内部空間２３３Ａとサブクール側内部空間２３５Ａとはサブクール側仕切部２３６Ａによって仕切られている。
【００４８】
仕切部２３４Ａは、上流側内部空間２３２Ａと下流側内部空間２３３Ａとを仕切ると共に冷媒の流れを堰き止める機能を果たしている。仕切部２３４Ａによって堰き止められた冷媒を流すため、上流側内部空間２３２Ａを下流側内部空間２３３Ａと繋ぐ接続流路２３１Ａが設けられている。
【００４９】
接続流路２３１Ａは、流路流入部分２３１Ａａと、流路流出部分２３１Ａｂと、を有している。流路流入部分２３１Ａａは、接続流路２３１Ａが上流側内部空間２３２Ａに繋がる部分である。流路流出部分２３１Ａｂは、接続流路２３１Ａが下流側内部空間２３３Ａに繋がる部分である。上流側コア２２Ａａを流れた冷媒は、上流側内部空間２３２Ａに流れ込み、仕切部２３４Ａによって一旦慣性力が減じられる。慣性力が減じられた冷媒は、流路流入部分２３１Ａａから接続流路２３１Ａに流れ込む。接続流路２３１Ａに流れ込んだ冷媒は、流路流出部分２３１Ａｂから下流側内部空間２３３Ａに流れ込む。
【００５０】
流路流出部分２３１Ａｂは、下流側内部空間２３３Ａの下方端に近接した部分に繋がれている。下流側内部空間２３３Ａの下方端とは、下流側内部空間２３３Ａにおいて、仕切部２３４Ａとは反対側の端部である。
【００５１】
流路流出部分２３１Ａｂにおいて慣性力が再び付加され、下流側内部空間２３３Ａの下方端に導入される冷媒は、下流側コア２２Ａｂに向かって流れると共に仕切部２３４Ａに向かっても流れる。従って、下流側コア２２Ａｂの下方に偏ることなく、冷媒の流れが形成される。
【００５２】
下流側コア２２Ａｂに流れ込んだ冷媒は、下流側コア２２Ａｂを構成するチューブ２２２を流れる。チューブ２２２を流れる冷媒は、隣接するチューブ２２２の間であってフィン２２３を通過する空気と熱交換しながら流れる。
【００５３】
下流側コア２２Ａｂを流れた冷媒は、流出入タンク２１Ａの流出側内部空間２１５Ａに流れ込む。流出側内部空間２１５Ａに流れ込んだ冷媒は、流出部２１２Ａから流出して貯液器２４Ａに流れ込む。
【００５４】
貯液器２４Ａに流れ込んだ冷媒が液相冷媒の場合、サブクール側流入口２１６Ａからサブクール側内部空間２１８Ａに流れ込む。流出入タンク２１Ａのサブクール側内部空間２１７Ａに流れ込んだ冷媒は、サブクール側コア２２Ａｃを流れる。サブクール側コア２２Ａｃを流れた冷媒は、ターン側タンク２３Ａのサブクール側内部空間２３５Ａに流れ込み、サブクール側流出口２３７Ａから流出し、ヒートポンプサイクルに還流する。
【００５５】
熱交換器２Ａは、熱交換器２と同様の作用効果を奏するので、その説明を省略する。
【００５６】
続いて、図３を参照しながら、第１実施形態である熱交換器２の変形例に係る熱交換器２Ｂについて説明する。熱交換器２Ｂは、熱交換器２のターン側タンク２３を、ターン側タンク２３Ｂとしたものである。ターン側タンク２３Ｂ以外の部分は熱交換器２と同様であるので、その説明を省略する。
【００５７】
ターン側タンク２３Ｂには、上流側内部空間２３２と、下流側内部空間２３３と、が形成されている。上流側内部空間２３２と下流側内部空間２３３とは、仕切部２３４によって仕切られている。
【００５８】
仕切部２３４は、上流側内部空間２３２と下流側内部空間２３３とを仕切ると共に冷媒の流れを堰き止める機能を果たしている。仕切部２３４によって堰き止められた冷媒を流すため、上流側内部空間２３２を下流側内部空間２３３と繋ぐ接続流路２３１Ｂが設けられている。
【００５９】
接続流路２３１Ｂは、流路流入部分２３１Ｂａと、流路流出部分２３１Ｂｂと、を有している。流路流入部分２３１Ｂａは、接続流路２３１Ｂが上流側内部空間２３２に繋がる部分である。流路流出部分２３１Ｂｂは、接続流路２３１Ｂが下流側内部空間２３３に繋がる部分である。上流側コア２２ａを流れた冷媒は、上流側内部空間２３２に流れ込み、仕切部２３４によって一旦慣性力が減じられる。慣性力が減じられた冷媒は、流路流入部分２３１Ｂａから接続流路２３１Ｂに流れ込む。接続流路２３１Ｂに流れ込んだ冷媒は、流路流出部分２３１Ｂｂから下流側内部空間２３３に流れ込む。
【００６０】
流路流出部分２３１Ｂｂは、下流側内部空間２３３の上方端に近接した部分に繋がれている。下流側内部空間２３３の上方端とは、下流側内部空間２３３において、仕切部２３４Ｂ側の端部である。
【００６１】
熱交換器２に比較して熱交換器２Ｂは、流路流出部分２３１Ｂｂより流出した冷媒が仕切部２３４にも向かうため、下流側内部空間２３３において冷媒が下部の局所に偏流しない。従って、下流側コア２２ｂの一部に偏ることなく、冷媒の流れが形成される。熱交換器２が奏する作用効果は、この熱交換器２Ｂ特有の作用効果と矛盾しない限り奏することができる。
【００６２】
尚、熱交換器２Ｂにおいては、冷媒の出入口を逆にし、流出部２１２から冷媒を導入し、流入部２１１から冷媒を排出するようにしてもよい。
【００６３】
続いて、図４を参照しながら、熱交換器２に対して下方から冷媒を導入する場合の変形例である熱交換器２Ｃについて説明する。
【００６４】
熱交換器２Ｃは、タンクとして流出入タンク２１Ｃ及びターン側タンク２３Ｃと、熱交換部２２Ｃと、を備えている。図４においては、流出入タンク２１Ｃ及びターン側タンク２３Ｃの長手方向に沿ってｙ軸を設定している。ｙ軸に直交し、流出入タンク２１Ｃからターン側タンク２３Ｃに伸びる方向に沿ってｘ軸を設定している。ｘ軸及びｙ軸に直交する方向に沿ってｚ軸を設定している。
【００６５】
流出入タンク２１Ｃには、流入側内部空間２１３Ｃと、流出側内部空間２１５Ｃと、が形成されている。ｙ軸方向において、流入側内部空間２１３Ｃが重力方向下方に、流出側内部空間２１５Ｃが重力方向上方に、それぞれ設けられている。流入側内部空間２１３Ｃと流出側内部空間２１５Ｃとは、流出入仕切部２１４Ｃによって仕切られている。
【００６６】
流入側内部空間２１３Ｃには、流入部２１１Ｃが繋がれている。流入部２１１Ｃには、ヒートポンプサイクルを流れる冷媒が流入する。流入部２１１Ｃから流入側内部空間２１３Ｃに流入する冷媒は、暖房時には気液二相冷媒であり、冷房時には気相冷媒である。
【００６７】
流出側内部空間２１５Ｃには、流出部２１２Ｃが繋がれている。流入部２１１Ｃから流入して熱交換部２２Ｃを通った冷媒は、流出部２１２Ｃからヒートポンプサイクルに還流する。
【００６８】
流入側内部空間２１３Ｃに流入した冷媒は、熱交換部２２Ｃに流れ込む。熱交換部２２Ｃは、上流側コア２２Ｃａと、下流側コア２２Ｃｂと、を備えている。ｙ軸方向において、上流側コア２２Ｃａが重力方向下方に、下流側コア２２Ｃｂが重力方向上方に、それぞれ設けられている。流入側内部空間２１３Ｃに流入した冷媒は、上流側コア２２ａＣに流れ込む。
【００６９】
上流側コア２２Ｃａ及び下流側コア２２Ｃｂは、それぞれ、サイドプレート２２１と、チューブ２２２と、フィン２２３と、を備えている。
【００７０】
チューブ２２２とフィン２２３とは、交互に積層されている。交互に積層されたチューブ２２２及びフィン２２３は、一対のサイドプレート２２１によって挟まれている。熱交換部２２Ｃに流れ込む冷媒は、チューブ２２２を流れる。チューブ２２２を流れる冷媒は、隣接するチューブ２２２の間であってフィン２２３を通過する空気と熱交換しながら流れる。
【００７１】
上流側コア２２Ｃａを流れた冷媒は、ターン側タンク２３Ｃに流れ込む。ターン側タンク２３Ｃには、上流側内部空間２３２Ｃと、下流側内部空間２３３Ｃと、が形成されている。ｙ軸方向において、上流側内部空間２３２Ｃが重力方向下方に、下流側内部空間２３３Ｃが重力方向上方に、それぞれ設けられている。上流側内部空間２３２Ｃと下流側内部空間２３３Ｃとは、仕切部２３４Ｃによって仕切られている。
【００７２】
仕切部２３４Ｃは、上流側内部空間２３２Ｃと下流側内部空間２３３Ｃとを仕切ると共に冷媒の流れを堰き止める機能を果たしている。仕切部２３４Ｃによって堰き止められた冷媒を流すため、上流側内部空間２３２Ｃを下流側内部空間２３３Ｃと繋ぐ接続流路２３１Ｃが設けられている。
【００７３】
接続流路２３１Ｃは、流路流入部分２３１Ｃａと、流路流出部分２３１Ｃｂと、を有している。流路流入部分２３１Ｃａは、接続流路２３１Ｃが上流側内部空間２３２Ｃに繋がる部分である。流路流出部分２３１Ｃｂは、接続流路２３１Ｃが下流側内部空間２３３Ｃに繋がる部分である。上流側コア２２Ｃａを流れた冷媒は、上流側内部空間２３２Ｃに流れ込み、仕切部２３４Ｃによって一旦慣性力が減じられる。慣性力が減じられた冷媒は、流路流入部分２３１Ｃａから接続流路２３１Ｃに流れ込む。接続流路２３１Ｃに流れ込んだ冷媒は、流路流出部分２３１Ｃｂから下流側内部空間２３３Ｃに流れ込む。
【００７４】
流路流出部分２３１Ｃｂは、下流側内部空間２３３Ｃの上方端に近接した部分に繋がれている。下流側内部空間２３３Ｃの上方端とは、下流側内部空間２３３Ｃにおいて、仕切部２３４Ｃ側の端部である。
【００７５】
流路流出部分２３１Ｃｂから下流側内部空間２３３Ｃの上方端に導入される冷媒は、下流側コア２２Ｃｂの局所に偏ることなく、冷媒の流れが形成される。
【００７６】
下流側コア２２Ｃｂに流れ込んだ冷媒は、下流側コア２２Ｃｂを構成するチューブ２２２を流れる。チューブ２２２を流れる冷媒は、隣接するチューブ２２２の間であってフィン２２３を通過する空気と熱交換しながら流れる。
【００７７】
下流側コア２２Ｃｂを流れた冷媒は、流出入タンク２１Ｃの流出側内部空間２１５Ｃに流れ込む。流出側内部空間２１５Ｃに流れ込んだ冷媒は、流出部２１２Ｃから流出してヒートポンプサイクルに還流する。
【００７８】
熱交換器２Ｃは、熱交換器２と同様の作用効果を奏するので、その説明を省略する。
【００７９】
続いて、タンクにおいて冷媒の流れが逆方向にターンしない場合の例について、図５を参照しながら説明する。図５に示されるように、第３実施形態に係る熱交換器２Ｄは、タンクとして流入タンク２１Ｄ及び流出側タンク２３Ｄと、熱交換部２２Ｄと、を備えている。図５においては、流入タンク２１Ｄ及び流出側タンク２３Ｄの長手方向に沿ってｙ軸を設定している。ｙ軸に直交し、流入タンク２１Ｄから流出側タンク２３Ｄに伸びる方向に沿ってｘ軸を設定している。ｘ軸及びｙ軸に直交する方向に沿ってｚ軸を設定している。
【００８０】
流入タンク２１Ｄには、上流側内部空間２１３Ｄと、下流側内部空間２１５Ｄと、が形成されている。上流側内部空間２１３Ｄと下流側内部空間２１５Ｄとは、仕切部２１４Ｄによって仕切られている。
【００８１】
上流側内部空間２１３Ｄには、流入部２１１Ｄが繋がれている。流入部２１１Ｄには、ヒートポンプサイクルを流れる冷媒が流入する。流入部２１１Ｄから上流側内部空間２１３Ｄに流入する冷媒は、暖房時には気液二相冷媒であり、冷房時には気相冷媒である。
【００８２】
仕切部２１４Ｄは、上流側内部空間２１３Ｄと下流側内部空間２１５Ｄとを仕切ると共に冷媒の流れを堰き止める機能を果たしている。仕切部２１４Ｄによって堰き止められた冷媒を流すため、上流側内部空間２１３Ｄを下流側内部空間２１５Ｄと繋ぐ接続流路２１２Ｄが設けられている。
【００８３】
接続流路２１２Ｄは、流路流入部分２１２Ｄａと、流路流出部分２１２Ｄｂと、を有している。流路流入部分２１２Ｄａは、接続流路２１２Ｄが上流側内部空間２１３Ｄに繋がる部分である。流路流出部分２１２Ｄｂは、接続流路２１２Ｄが下流側内部空間２１５Ｄに繋がる部分である。
【００８４】
流入部２１１Ｄから流れ込んだ冷媒は、上流側内部空間２１３Ｄに流れ込み、仕切部２１４Ｄによって一旦慣性力が減じられる。慣性力が減じられた冷媒は、流路流入部分２１２Ｄａから接続流路２１２Ｄに流れ込む。接続流路２１２Ｄに流れ込んだ冷媒は、流路流出部分２１２Ｄｂから下流側内部空間２１５Ｄに流れ込む。
【００８５】
流路流出部分２１２Ｄｂは、下流側内部空間２１５Ｄの上方端に近接した部分に繋がれている。下流側内部空間２１５Ｄの上方端とは、下流側内部空間２１５Ｄにおいて、仕切部２１４Ｄに近接する端部である。
【００８６】
流路流出部分２１２Ｄｂより流出した冷媒が仕切部２１４Ｄにも向かうため、下流側内部空間２１５Ｄにおいて冷媒が下部の局所に偏流しない。
【００８７】
上流側内部空間２１３Ｄ及び下流側内部空間２１５Ｄに流れ込んだ冷媒は、熱交換部２２Ｄに流れ込む。熱交換部２２Ｄは、サイドプレート２２１と、チューブ２２２と、フィン２２３と、を備えている。
【００８８】
チューブ２２２とフィン２２３とは、交互に積層されている。交互に積層されたチューブ２２２及びフィン２２３は、一対のサイドプレート２２１によって挟まれている。熱交換部２２に流れ込む冷媒は、チューブ２２２を流れる。チューブ２２２を流れる冷媒は、隣接するチューブ２２２の間であってフィン２２３を通過する空気と熱交換しながら流れる。
【００８９】
熱交換部２２Ｄを流れた冷媒は、流出側タンク２３Ｄに流れ込む。流出側タンク２３Ｄには、内部空間２３２Ｄと、流出部２３１Ｄと、が形成されている。内部空間２３２Ｄには、流出部２３１Ｄが繋がれている。流入部２１１Ｄから流入して熱交換部２２Ｄを通った冷媒は、流出部２３１Ｄからヒートポンプサイクルに還流する。
【００９０】
熱交換器２Ｄは、熱交換器２と同様の作用効果を奏するので、その説明を省略する。
【００９１】
続いて、図６を参照しながら、熱交換器２Ｄの変形例である熱交換器２Ｅについて説明する。熱交換器２Ｅは、熱交換器２Ｄの流入タンク２１Ｄを流入タンク２１Ｅに入れ替えたものであるので、流入タンク２１Ｅについて説明する。
【００９２】
流入タンク２１Ｅには、上流側内部空間２１３Ｄと、下流側内部空間２１５Ｄと、が形成されている。上流側内部空間２１３Ｄと下流側内部空間２１５Ｄとは、仕切部２１４Ｄによって仕切られている。
【００９３】
上流側内部空間２１３Ｄには、流入部２１１Ｄが繋がれている。流入部２１１Ｄには、ヒートポンプサイクルを流れる冷媒が流入する。流入部２１１Ｄから上流側内部空間２１３Ｄに流入する冷媒は、暖房時には気液二相冷媒であり、冷房時には気相冷媒である。
【００９４】
仕切部２１４Ｄは、上流側内部空間２１３Ｄと下流側内部空間２１５Ｄとを仕切ると共に冷媒の流れを堰き止める機能を果たしている。仕切部２１４Ｄによって堰き止められた冷媒を流すため、上流側内部空間２１３Ｄを下流側内部空間２１５Ｄと繋ぐ接続流路２１２Ｅが設けられている。
【００９５】
接続流路２１２Ｅは、流路流入部分２１２Ｅａと、流路流出部分２１２Ｅｂと、を有している。流路流入部分２１２Ｅａは、接続流路２１２Ｅが上流側内部空間２１３Ｄに繋がる部分である。流路流出部分２１２Ｅｂは、接続流路２１２Ｄが下流側内部空間２１５Ｄに繋がる部分である。
【００９６】
流入部２１１Ｄから流れ込んだ冷媒は、上流側内部空間２１３Ｄに流れ込み、仕切部２１４Ｄによって一旦慣性力が減じられる。慣性力が減じられた冷媒は、流路流入部分２１２Ｅａから接続流路２１２Ｅに流れ込む。接続流路２１２Ｅに流れ込んだ冷媒は、流路流出部分２１２Ｅｂから下流側内部空間２１５Ｄに流れ込む。
【００９７】
流路流出部分２１２Ｅｂは、下流側内部空間２１５Ｄの下方端に近接した部分に繋がれている。下流側内部空間２１５Ｄの下方端とは、下流側内部空間２１５Ｄにおいて、仕切部２１４Ｄとは反対側の端部である。
【００９８】
流路流出部分２１２Ｅｂにおいて慣性力が再び付加され、下流側内部空間２１５Ｄの下方端に導入される冷媒は、熱交換部２２Ｄに向かって流れると共に仕切部２１４Ｄに向かっても流れる。従って、熱交換部２２Ｄの下方に偏ることなく、冷媒の流れが形成される。
【００９９】
熱交換器２Ｅは、熱交換器２と同様の作用効果を奏するので、その説明を省略する。
【０１００】
続いて、図７を参照しながら、第４実施形態に係る熱交換器２Ｆについて説明する。熱交換器２Ｆは、タンクとして流出入タンク２１Ｆ及びターン側タンク２３Ｆと、熱交換部２２と、を備えている。図７においては、流出入タンク２１Ｆ及びターン側タンク２３Ｆの長手方向に沿ってｙ軸を設定している。ｙ軸に直交し、流出入タンク２１Ｆからターン側タンク２３Ｆに伸びる方向に沿ってｘ軸を設定している。ｘ軸及びｙ軸に直交する方向に沿ってｚ軸を設定している。
【０１０１】
流出入タンク２１Ｆには、流入側内部空間２１３Ｆと、流出側内部空間２１５Ｆと、が形成されている。流入側内部空間２１３Ｆと流出側内部空間２１５Ｆとは、流出入仕切部２１４Ｆによって仕切られている。
【０１０２】
流入側内部空間２１３Ｆには、流入部２１１が繋がれている。流入部２１１には、ヒートポンプサイクルを流れる冷媒が流入する。流入部２１１から流入側内部空間２１３Ｆに流入する冷媒は、暖房時には気液二相冷媒であり、冷房時には気相冷媒である。
【０１０３】
流出側内部空間２１５Ｆには、流出部２１２が繋がれている。流入部２１１から流入して熱交換部２２を通った冷媒は、流出部２１２からヒートポンプサイクルに還流する。
【０１０４】
流入側内部空間２１３Ｆに流入した冷媒は、熱交換部２２に流れ込む。熱交換部２２は、上流側コア２２ａと、下流側コア２２ｂと、を備えている。流入側内部空間２１３Ｆに流入した冷媒は、上流側コア２２ａに流れ込む。
【０１０５】
上流側コア２２ａ及び下流側コア２２ｂは、それぞれ、サイドプレート２２１と、チューブ２２２と、フィン２２３と、を備えている。
【０１０６】
チューブ２２２とフィン２２３とは、交互に積層されている。交互に積層されたチューブ２２２及びフィン２２３は、一対のサイドプレート２２１によって挟まれている。熱交換部２２に流れ込む冷媒は、チューブ２２２を流れる。チューブ２２２を流れる冷媒は、隣接するチューブ２２２の間であってフィン２２３を通過する空気と熱交換しながら流れる。
【０１０７】
上流側コア２２ａを流れた冷媒は、ターン側タンク２３Ｆに流れ込む。ターン側タンク２３Ｆには、上流側内部空間２３２Ｆと、下流側内部空間２３３Ｆと、最下流側内部空間２３６Ｆと、が形成されている。上流側内部空間２３２Ｆと下流側内部空間２３３Ｆとは、仕切部２３４Ｆによって仕切られている。下流側内部空間２３３Ｆと最下流側内部空間２３６Ｆとは、仕切部２３７Ｆによって仕切られている。
【０１０８】
仕切部２３４Ｆは、上流側内部空間２３２Ｆと下流側内部空間２３３Ｆとを仕切ると共に冷媒の流れを堰き止める機能を果たしている。仕切部２３４Ｆによって堰き止められた冷媒を流すため、上流側内部空間２３２Ｆを下流側内部空間２３３Ｆと繋ぐ接続流路２３１Ｆが設けられている。
【０１０９】
接続流路２３１Ｆは、流路流入部分２３１Ｆａと、流路流出部分２３１Ｆｂと、を有している。流路流入部分２３１Ｆａは、接続流路２３１Ｆが上流側内部空間２３２Ｆに繋がる部分である。流路流出部分２３１Ｆｂは、接続流路２３１Ｆが下流側内部空間２３３Ｆに繋がる部分である。上流側コア２２ａを流れた冷媒は、上流側内部空間２３２Ｆに流れ込み、仕切部２３４Ｆによって一旦慣性力が減じられる。慣性力が減じられた冷媒は、流路流入部分２３１Ｆａから接続流路２３１Ｆに流れ込む。接続流路２３１Ｆに流れ込んだ冷媒は、流路流出部分２３１Ｆｂから下流側内部空間２３３Ｆに流れ込む。
【０１１０】
流路流出部分２３１Ｆｂは、下流側内部空間２３３Ｆの上方端に近接した部分に繋がれている。下流側内部空間２３３Ｆの上方端とは、下流側内部空間２３３Ｆにおいて、仕切部２３４Ｆ側の端部である。
【０１１１】
仕切部２３７Ｆは、下流側内部空間２３３Ｆと最下流側内部空間２３６Ｆとを仕切ると共に冷媒の流れを堰き止める機能を果たしている。仕切部２３７Ｆによって堰き止められた冷媒を流すため、下流側内部空間２３３Ｆを最下流側内部空間２３６Ｆと繋ぐ接続流路２３５Ｆが設けられている。
【０１１２】
接続流路２３５Ｆは、流路流入部分２３５Ｆａと、流路流出部分２３５Ｆｂと、を有している。流路流入部分２３５Ｆａは、接続流路２３５Ｆが下流側内部空間２３３Ｆに繋がる部分である。流路流出部分２３５Ｆｂは、接続流路２３５Ｆが最下流側内部空間２３６Ｆに繋がる部分である。接続流路２３１Ｆを流れた冷媒は、下流側内部空間２３３Ｆに流れ込み、仕切部２３７Ｆによって一旦慣性力が減じられる。慣性力が減じられた冷媒は、流路流入部分２３５Ｆａから接続流路２３５Ｆに流れ込む。接続流路２３５Ｆに流れ込んだ冷媒は、流路流出部分２３５Ｆｂから最下流側内部空間２３６Ｆに流れ込む。
【０１１３】
流路流出部分２３５Ｆｂは、最下流側内部空間２３６Ｆの上方端に近接した部分に繋がれている。最下流側内部空間２３６Ｆの上方端とは、最下流側内部空間２３６Ｆにおいて、仕切部２３７Ｆ側の端部である。
【０１１４】
流路流出部分２３１Ｆｂから下流側内部空間２３３Ｆの上方端に導入される冷媒及び流路流出部分２３５Ｆｂから最下流側内部空間２３６Ｆの上方端に導入される冷媒は、下流側コア２２ｂの局所に偏ることなく、冷媒の流れが形成される。
【０１１５】
下流側コア２２ｂに流れ込んだ冷媒は、下流側コア２２ｂを構成するチューブ２２２を流れる。チューブ２２２を流れる冷媒は、隣接するチューブ２２２の間であってフィン２２３を通過する空気と熱交換しながら流れる。
【０１１６】
下流側コア２２ｂを流れた冷媒は、流出入タンク２１Ｆの流出側内部空間２１５Ｆに流れ込む。流出側内部空間２１５Ｆに流れ込んだ冷媒は、流出部２１２から流出してヒートポンプサイクルに還流する。
【０１１７】
続いて、図８を参照しながら、熱交換器２Ｆに対して下方から冷媒を導入する場合の変形例である熱交換器２Ｇについて説明する。
【０１１８】
熱交換器２Ｇは、タンクとして流出入タンク２１Ｇ及びターン側タンク２３Ｇと、熱交換部２２Ｇと、を備えている。図８においては、流出入タンク２１Ｇ及びターン側タンク２３Ｇの長手方向に沿ってｙ軸を設定している。ｙ軸に直交し、流出入タンク２１Ｇからターン側タンク２３Ｇに伸びる方向に沿ってｘ軸を設定している。ｘ軸及びｙ軸に直交する方向に沿ってｚ軸を設定している。
【０１１９】
流出入タンク２１Ｇには、流入側内部空間２１３Ｇと、流出側内部空間２１５Ｇと、が形成されている。流入側内部空間２１３Ｇと流出側内部空間２１５Ｇとは、流出入仕切部２１４Ｇによって仕切られている。
【０１２０】
流入側内部空間２１３Ｇには、流入部２１１が繋がれている。流入部２１１には、ヒートポンプサイクルを流れる冷媒が流入する。流入部２１１から流入側内部空間２１３Ｇに流入する冷媒は、暖房時には気液二相冷媒であり、冷房時には気相冷媒である。
【０１２１】
流出側内部空間２１５Ｇには、流出部２１２が繋がれている。流入部２１１から流入して熱交換部２２Ｇを通った冷媒は、流出部２１２からヒートポンプサイクルに還流する。
【０１２２】
流入側内部空間２１３Ｇに流入した冷媒は、熱交換部２２Ｇに流れ込む。熱交換部２２Ｇは、上流側コア２２Ｇａと、下流側コア２２Ｇｂと、を備えている。流入側内部空間２１３Ｇに流入した冷媒は、上流側コア２２Ｇａに流れ込む。
【０１２３】
上流側コア２２Ｇａ及び下流側コア２２Ｇｂは、それぞれ、サイドプレート２２１と、チューブ２２２と、フィン２２３と、を備えている。
【０１２４】
チューブ２２２とフィン２２３とは、交互に積層されている。交互に積層されたチューブ２２２及びフィン２２３は、一対のサイドプレート２２１によって挟まれている。熱交換部２２に流れ込む冷媒は、チューブ２２２を流れる。チューブ２２２を流れる冷媒は、隣接するチューブ２２２の間であってフィン２２３を通過する空気と熱交換しながら流れる。
【０１２５】
上流側コア２２Ｇａを流れた冷媒は、ターン側タンク２３Ｇに流れ込む。ターン側タンク２３Ｇには、上流側内部空間２３２Ｇと、下流側内部空間２３３Ｇと、最下流側内部空間２３６Ｇと、が形成されている。上流側内部空間２３２Ｇと下流側内部空間２３３Ｇとは、仕切部２３４Ｇによって仕切られている。下流側内部空間２３３Ｇと最下流側内部空間２３６Ｇとは、仕切部２３７Ｇによって仕切られている。
【０１２６】
仕切部２３４Ｇは、上流側内部空間２３２Ｇと下流側内部空間２３３Ｇとを仕切ると共に冷媒の流れを堰き止める機能を果たしている。仕切部２３４Ｇによって堰き止められた冷媒を流すため、上流側内部空間２３２Ｇを下流側内部空間２３３Ｇと繋ぐ接続流路２３１Ｇが設けられている。
【０１２７】
接続流路２３１Ｇは、流路流入部分２３１Ｇａと、流路流出部分２３１Ｇｂと、を有している。流路流入部分２３１Ｇａは、接続流路２３１Ｇが上流側内部空間２３２Ｇに繋がる部分である。流路流出部分２３１Ｇｂは、接続流路２３１Ｇが下流側内部空間２３３Ｇに繋がる部分である。上流側コア２２Ｇａを流れた冷媒は、上流側内部空間２３２Ｇに流れ込み、仕切部２３４Ｇによって一旦慣性力が減じられる。慣性力が減じられた冷媒は、流路流入部分２３１Ｇａから接続流路２３１Ｇに流れ込む。接続流路２３１Ｇに流れ込んだ冷媒は、流路流出部分２３１Ｇｂから下流側内部空間２３３Ｇに流れ込む。
【０１２８】
流路流出部分２３１Ｇｂは、下流側内部空間２３３Ｇの下方端に近接した部分に繋がれている。下流側内部空間２３３Ｇの下方端とは、下流側内部空間２３３Ｇにおいて、仕切部２３４Ｇ側の端部である。
【０１２９】
仕切部２３７Ｇは、下流側内部空間２３３Ｇと最下流側内部空間２３６Ｇとを仕切ると共に冷媒の流れを堰き止める機能を果たしている。仕切部２３７Ｇによって堰き止められた冷媒を流すため、下流側内部空間２３３Ｇを最下流側内部空間２３６Ｇと繋ぐ接続流路２３５Ｇが設けられている。
【０１３０】
接続流路２３５Ｇは、流路流入部分２３５Ｇａと、流路流出部分２３５Ｇｂと、を有している。流路流入部分２３５Ｇａは、接続流路２３５Ｇが下流側内部空間２３３Ｇに繋がる部分である。流路流出部分２３５Ｇｂは、接続流路２３５Ｇが最下流側内部空間２３６Ｇに繋がる部分である。接続流路２３１Ｇを流れた冷媒は、下流側内部空間２３３Ｇに流れ込み、仕切部２３７Ｇによって一旦慣性力が減じられる。慣性力が減じられた冷媒は、流路流入部分２３５Ｇａから接続流路２３５Ｇに流れ込む。接続流路２３５Ｇに流れ込んだ冷媒は、流路流出部分２３５Ｇｂから最下流側内部空間２３６Ｇに流れ込む。
【０１３１】
流路流出部分２３５Ｇｂは、最下流側内部空間２３６Ｇの下方端に近接した部分に繋がれている。最下流側内部空間２３６Ｇの下方端とは、最下流側内部空間２３６Ｇにおいて、仕切部２３７Ｇ側の端部である。
【０１３２】
流路流出部分２３１Ｇｂから下流側内部空間２３３Ｇの下方端に導入される冷媒及び流路流出部分２３５Ｇｂから最下流側内部空間２３６Ｇの下方端に導入される冷媒は、下流側コア２２Ｇｂの局所に偏ることなく、冷媒の流れが形成される。
【０１３３】
下流側コア２２Ｇｂに流れ込んだ冷媒は、下流側コア２２Ｇｂを構成するチューブ２２２を流れる。チューブ２２２を流れる冷媒は、隣接するチューブ２２２の間であってフィン２２３を通過する空気と熱交換しながら流れる。
【０１３４】
下流側コア２２Ｇｂを流れた冷媒は、流出入タンク２１Ｇの流出側内部空間２１５Ｇに流れ込む。流出側内部空間２１５Ｇに流れ込んだ冷媒は、流出部２１２から流出してヒートポンプサイクルに還流する。
【０１３５】
続いて、タンクにおいて冷媒の流れが逆方向にターンしない場合の例について、図９を参照しながら説明する。図９に示されるように、第５実施形態に係る熱交換器２Ｈは、タンクとして流入タンク２１Ｈ及び流出側タンク２３Ｄと、熱交換部２２Ｄと、を備えている。図９においては、流入タンク２１Ｈ及び流出側タンク２３Ｄの長手方向に沿ってｙ軸を設定している。ｙ軸に直交し、流入タンク２１Ｈから流出側タンク２３Ｄに伸びる方向に沿ってｘ軸を設定している。ｘ軸及びｙ軸に直交する方向に沿ってｚ軸を設定している。
【０１３６】
熱交換部２２Ｄ及び流出側タンク２３Ｄについては、図５を参照しながら説明したものと同様であるので、説明の一部を省略する。
【０１３７】
流入タンク２１Ｈには、上流側内部空間２１３Ｈと、下流側内部空間２１５Ｈと、最下流側内部空間２１７Ｈと、が形成されている。上流側内部空間２１３Ｈと下流側内部空間２１５Ｈとは、仕切部２１４Ｈによって仕切られている。下流側内部空間２１５Ｈと最下流側内部空間２１７Ｈとは、仕切部２１８Ｈによって仕切られている。
【０１３８】
上流側内部空間２１３Ｈには、流入部２１１Ｈが繋がれている。流入部２１１Ｈには、ヒートポンプサイクルを流れる冷媒が流入する。流入部２１１Ｈから上流側内部空間２１３Ｈに流入する冷媒は、暖房時には気液二相冷媒であり、冷房時には気相冷媒である。
【０１３９】
仕切部２１４Ｈは、上流側内部空間２１３Ｈと下流側内部空間２１５Ｈとを仕切ると共に冷媒の流れを堰き止める機能を果たしている。仕切部２１４Ｈによって堰き止められた冷媒を流すため、上流側内部空間２１３Ｈを下流側内部空間２１５Ｈと繋ぐ接続流路２１２Ｈが設けられている。
【０１４０】
接続流路２１２Ｈは、流路流入部分２１２Ｈａと、流路流出部分２１２Ｈｂと、を有している。流路流入部分２１２Ｈａは、接続流路２１２Ｈが上流側内部空間２１３Ｈに繋がる部分である。流路流出部分２１２Ｈｂは、接続流路２１２Ｈが下流側内部空間２１５Ｈに繋がる部分である。
【０１４１】
流入部２１１Ｈから流れ込んだ冷媒は、上流側内部空間２１３Ｈに流れ込み、仕切部２１４Ｈによって一旦慣性力が減じられる。慣性力が減じられた冷媒は、流路流入部分２１２Ｈａから接続流路２１２Ｈに流れ込む。接続流路２１２Ｈに流れ込んだ冷媒は、流路流出部分２１２Ｈｂから下流側内部空間２１５Ｈに流れ込む。
【０１４２】
流路流出部分２１２Ｈｂは、下流側内部空間２１５Ｈの上方端に近接した部分に繋がれている。下流側内部空間２１５Ｈの上方端とは、下流側内部空間２１５Ｈにおいて、仕切部２１４Ｈに近接する端部である。
【０１４３】
流路流出部分２１２Ｈｂより流出した冷媒が仕切部２１４Ｈにも向かうため、下流側内部空間２１５Ｈにおいて冷媒が下部の局所に偏流しない。
【０１４４】
仕切部２１８Ｈは、下流側内部空間２１５Ｈと最下流側内部空間２１７Ｈとを仕切ると共に冷媒の流れを堰き止める機能を果たしている。仕切部２１８Ｈによって堰き止められた冷媒を流すため、下流側内部空間２１５Ｈを最下流側内部空間２１７Ｈと繋ぐ接続流路２１６Ｈが設けられている。
【０１４５】
接続流路２１６Ｈは、流路流入部分２１６Ｈａと、流路流出部分２１６Ｈｂと、を有している。流路流入部分２１６Ｈａは、接続流路２１６Ｈが下流側内部空間２１５Ｈに繋がる部分である。流路流出部分２１６Ｈｂは、接続流路２１６Ｈが最下流側内部空間２１７Ｈに繋がる部分である。
【０１４６】
接続流路２１２Ｈに流れ込んだ冷媒は、下流側内部空間２１５Ｈに流れ込み、仕切部２１８Ｈによって一旦慣性力が減じられる。慣性力が減じられた冷媒は、流路流入部分２１６Ｈａから接続流路２１６Ｈに流れ込む。接続流路２１６Ｈに流れ込んだ冷媒は、流路流出部分２１６Ｈｂから最下流側内部空間２１７Ｈに流れ込む。
【０１４７】
流路流出部分２１６Ｈｂは、最下流側内部空間２１７Ｈの上方端に近接した部分に繋がれている。最下流側内部空間２１７Ｈの上方端とは、最下流側内部空間２１７Ｈにおいて、仕切部２１８Ｈに近接する端部である。
【０１４８】
流路流出部分２１６Ｈｂより流出した冷媒が仕切部２１８Ｈにも向かうため、下流側内部空間２１７Ｈにおいて冷媒が下部の局所に偏流しない。
【０１４９】
上流側内部空間２１３Ｈ、下流側内部空間２１５Ｈ、及び最下流側内部空間２１７Ｈに流れ込んだ冷媒は、熱交換部２２Ｄに流れ込む。熱交換部２２Ｄは、サイドプレート２２１と、チューブ２２２と、フィン２２３と、を備えている。
【０１５０】
チューブ２２２とフィン２２３とは、交互に積層されている。交互に積層されたチューブ２２２及びフィン２２３は、一対のサイドプレート２２１によって挟まれている。熱交換部２２に流れ込む冷媒は、チューブ２２２を流れる。チューブ２２２を流れる冷媒は、隣接するチューブ２２２の間であってフィン２２３を通過する空気と熱交換しながら流れる。
【０１５１】
熱交換部２２Ｄを流れた冷媒は、流出側タンク２３Ｄに流れ込む。流出側タンク２３Ｄには、内部空間２３２Ｄと、流出部２３１Ｄと、が形成されている。内部空間２３２Ｄには、流出部２３１Ｄが繋がれている。流入部２１１Ｄから流入して熱交換部２２Ｄを通った冷媒は、流出部２３１Ｄからヒートポンプサイクルに還流する。
【０１５２】
熱交換器２Ｈは、熱交換器２と同様の作用効果を奏するので、その説明を省略する。
【０１５３】
続いて、図１０を参照しながら、熱交換器２Ｈに対して下方から冷媒を導入する場合の変形例である熱交換器２Ｊについて説明する。図１０に示されるように、熱交換器２Ｊは、タンクとして流入タンク２１Ｊ及び流出側タンク２３Ｊと、熱交換部２２Ｄと、を備えている。図１０においては、流入タンク２１Ｊ及び流出側タンク２３Ｊの長手方向に沿ってｙ軸を設定している。ｙ軸に直交し、流入タンク２１Ｊから流出側タンク２３Ｊに伸びる方向に沿ってｘ軸を設定している。ｘ軸及びｙ軸に直交する方向に沿ってｚ軸を設定している。
【０１５４】
熱交換部２２Ｄについては、図５を参照しながら説明したものと同様であるので、説明の一部を省略する。
【０１５５】
流入タンク２１Ｊには、上流側内部空間２１３Ｊと、下流側内部空間２１５Ｊと、最下流側内部空間２１７Ｊと、が形成されている。上流側内部空間２１３Ｊと下流側内部空間２１５Ｊとは、仕切部２１４Ｊによって仕切られている。下流側内部空間２１５Ｊと最下流側内部空間２１７Ｊとは、仕切部２１８Ｊによって仕切られている。
【０１５６】
上流側内部空間２１３Ｊには、流入部２１１Ｊが繋がれている。流入部２１１Ｊには、ヒートポンプサイクルを流れる冷媒が流入する。流入部２１１Ｊから上流側内部空間２１３Ｊに流入する冷媒は、暖房時には気液二相冷媒であり、冷房時には気相冷媒である。
【０１５７】
仕切部２１４Ｊは、上流側内部空間２１３Ｊと下流側内部空間２１５Ｊとを仕切ると共に冷媒の流れを堰き止める機能を果たしている。仕切部２１４Ｊによって堰き止められた冷媒を流すため、上流側内部空間２１３Ｊを下流側内部空間２１５Ｊと繋ぐ接続流路２１２Ｊが設けられている。
【０１５８】
接続流路２１２Ｊは、流路流入部分２１２Ｊａと、流路流出部分２１２Ｊｂと、を有している。流路流入部分２１２Ｊａは、接続流路２１２Ｊが上流側内部空間２１３Ｊに繋がる部分である。流路流出部分２１２Ｊｂは、接続流路２１２Ｊが下流側内部空間２１５Ｊに繋がる部分である。
【０１５９】
流入部２１１Ｊから流れ込んだ冷媒は、上流側内部空間２１３Ｊに流れ込み、仕切部２１４Ｊによって一旦慣性力が減じられる。慣性力が減じられた冷媒は、流路流入部分２１２Ｊａから接続流路２１２Ｊに流れ込む。接続流路２１２Ｊに流れ込んだ冷媒は、流路流出部分２１２Ｊｂから下流側内部空間２１５Ｊに流れ込む。
【０１６０】
流路流出部分２１２Ｊｂは、下流側内部空間２１５Ｊの下方端に近接した部分に繋がれている。下流側内部空間２１５Ｊの下方端とは、下流側内部空間２１５Ｊにおいて、仕切部２１４Ｊに近接する端部である。
【０１６１】
流路流出部分２１２Ｊｂより流出した冷媒が仕切部２１４Ｊ及び仕切部２１８Ｊに向かうため、下流側内部空間２１５Ｊにおいて冷媒が下部の局所に偏流しない。
【０１６２】
仕切部２１８Ｊは、下流側内部空間２１５Ｊと最下流側内部空間２１７Ｊとを仕切ると共に冷媒の流れを堰き止める機能を果たしている。仕切部２１８Ｊによって堰き止められた冷媒を流すため、下流側内部空間２１５Ｊを最下流側内部空間２１７Ｊと繋ぐ接続流路２１６Ｊが設けられている。
【０１６３】
接続流路２１６Ｊは、流路流入部分２１６Ｊａと、流路流出部分２１６Ｊｂと、を有している。流路流入部分２１６Ｊａは、接続流路２１６Ｊが下流側内部空間２１５Ｊに繋がる部分である。流路流出部分２１６Ｊｂは、接続流路２１６Ｊが最下流側内部空間２１７Ｊに繋がる部分である。
【０１６４】
接続流路２１２Ｊに流れ込んだ冷媒は、下流側内部空間２１５Ｊに流れ込み、仕切部２１８Ｊによって一旦慣性力が減じられる。慣性力が減じられた冷媒は、流路流入部分２１６Ｊａから接続流路２１６Ｊに流れ込む。接続流路２１６Ｊに流れ込んだ冷媒は、流路流出部分２１６Ｊｂから最下流側内部空間２１７Ｊに流れ込む。
【０１６５】
流路流出部分２１６Ｊｂは、最下流側内部空間２１７Ｊの下方端に近接した部分に繋がれている。最下流側内部空間２１７Ｊの下方端とは、最下流側内部空間２１７Ｊにおいて、仕切部２１８Ｊに近接する端部である。
【０１６６】
流路流出部分２１６Ｊｂより流出した冷媒が仕切部２１８Ｊ及び最下流側内部２１７Ｊの上端に向かうため、最下流側内部２１７Ｊにおいて冷媒が下部の局所に偏流しない。
【０１６７】
上流側内部空間２１３Ｊ、下流側内部空間２１５Ｊ、及び最下流側内部空間２１７Ｊに流れ込んだ冷媒は、熱交換部２２Ｄに流れ込む。熱交換部２２Ｄは、サイドプレート２２１と、チューブ２２２と、フィン２２３と、を備えている。
【０１６８】
チューブ２２２とフィン２２３とは、交互に積層されている。交互に積層されたチューブ２２２及びフィン２２３は、一対のサイドプレート２２１によって挟まれている。熱交換部２２に流れ込む冷媒は、チューブ２２２を流れる。チューブ２２２を流れる冷媒は、隣接するチューブ２２２の間であってフィン２２３を通過する空気と熱交換しながら流れる。
【０１６９】
熱交換部２２Ｄを流れた冷媒は、流出側タンク２３Ｊに流れ込む。流出側タンク２３Ｊには、内部空間２３２Ｊと、流出部２３１Ｊと、が形成されている。内部空間２３２Ｊの上方には、流出部２３１Ｊが繋がれている。流入部２１１Ｊから流入して熱交換部２２Ｄを通った冷媒は、流出部２３１Ｊからヒートポンプサイクルに還流する。
【０１７０】
熱交換器２Ｊは、熱交換器２と同様の作用効果を奏するので、その説明を省略する。
【０１７１】
続いて、図１１を参照しながら、仕切部が段違いに配置された例である、第６実施形態に係る熱交換器２Ｋについて説明する。
【０１７２】
熱交換器２Ｋは、タンクとして流出入タンク２１Ｋ及びターン側タンク２３Ｋと、熱交換部２２と、を備えている。図１１においては、流出入タンク２１Ｋ及びターン側タンク２３Ｋの長手方向に沿ってｙ軸を設定している。ｙ軸に直交し、流出入タンク２１Ｋからターン側タンク２３Ｋに伸びる方向に沿ってｘ軸を設定している。ｘ軸及びｙ軸に直交する方向に沿ってｚ軸を設定している。
【０１７３】
流出入タンク２１Ｋには、流入側内部空間２１３Ｋと、流出側内部空間２１５Ｋと、が形成されている。流入側内部空間２１３Ｋと流出側内部空間２１５Ｋとは、流出入仕切部２１４Ｋによって仕切られている。
【０１７４】
流入側内部空間２１３Ｋには、流入部２１１が繋がれている。流入部２１１には、ヒートポンプサイクルを流れる冷媒が流入する。流入部２１１から流入側内部空間２１３Ｋに流入する冷媒は、暖房時には気液二相冷媒であり、冷房時には気相冷媒である。
【０１７５】
流出側内部空間２１５Ｋには、流出部２１２が繋がれている。流入部２１１から流入して熱交換部２２を通った冷媒は、流出部２１２からヒートポンプサイクルに還流する。
【０１７６】
流入側内部空間２１３Ｋに流入した冷媒は、熱交換部２２に流れ込む。熱交換部２２は、上流側コア２２ａと、下流側コア２２ｂと、を備えている。流入側内部空間２１３Ｋに流入した冷媒は、上流側コア２２ａに流れ込む。
【０１７７】
上流側コア２２ａ及び下流側コア２２ｂは、それぞれ、サイドプレート２２１と、チューブ２２２と、フィン２２３と、を備えている。
【０１７８】
チューブ２２２とフィン２２３とは、交互に積層されている。交互に積層されたチューブ２２２及びフィン２２３は、一対のサイドプレート２２１によって挟まれている。熱交換部２２に流れ込む冷媒は、チューブ２２２を流れる。チューブ２２２を流れる冷媒は、隣接するチューブ２２２の間であってフィン２２３を通過する空気と熱交換しながら流れる。
【０１７９】
上流側コア２２ａを流れた冷媒は、ターン側タンク２３Ｋに流れ込む。ターン側タンク２３Ｋには、上流側内部空間２３２Ｋと、下流側内部空間２３３Ｋと、が形成されている。上流側内部空間２３２Ｋと下流側内部空間２３３Ｋとは、仕切部２３４Ｋによって仕切られている。
【０１８０】
仕切部２３４Ｋは、上流側内部空間２３２Ｋと下流側内部空間２３３Ｋとを仕切ると共に冷媒の流れを堰き止める機能を果たしている。仕切部２３４Ｋによって堰き止められた冷媒を流すため、上流側内部空間２３２Ｋを下流側内部空間２３３Ｋと繋ぐ接続流路２３１Ｋが設けられている。
【０１８１】
接続流路２３１Ｋは、流路流入部分２３１Ｋａと、流路流出部分２３１Ｋｂと、を有している。流路流入部分２３１Ｋａは、接続流路２３１Ｋが上流側内部空間２３２Ｋに繋がる部分である。流路流出部分２３１Ｋｂは、接続流路２３１Ｋが下流側内部空間２３３Ｋに繋がる部分である。
【０１８２】
本実施形態の場合、流出入仕切部２１４Ｋよりも仕切部２３４Ｋがｙ軸方向下方にずれるように配置されている。従って、上流側内部空間２３２Ｋの仕切部２３４Ｋ近傍の領域が下流側コア２２ｂに臨むように構成されている。
【０１８３】
上流側コア２２ａを流れた冷媒は、上流側内部空間２３２Ｋに流れ込み、仕切部２３４Ｋによって一旦慣性力が減じられる。慣性力が減じられた冷媒の一部は、流路流入部分２３１Ｋａから接続流路２３１Ｋに流れ込む。慣性力が減じられた冷媒の残部は、下流側コア２２ｂの上方領域に流れ込む。下流側コア２２ｂの上方領域は、上流側コア２２ａ近傍の領域である。
【０１８４】
接続流路２３１Ｋに流れ込んだ冷媒は、流路流出部分２３１Ｋｂから下流側内部空間２３３Ｋに流れ込む。流路流出部分２３１Ｋｂは、下流側内部空間２３３Ｋの下方端に近接した部分に繋がれている。下流側内部空間２３３Ｋの下方端とは、下流側内部空間２３３Ｋにおいて、仕切部２３４Ｋとは反対側の端部である。
【０１８５】
流路流出部分２３１Ｋｂにおいて慣性力が再び付加され、下流側内部空間２３３Ｋの下方端に導入される冷媒は、下流側コア２２ｂに向かって流れると共に仕切部２３４Ｋに向かっても流れる。従って、下流側コア２２ｂの下方に偏ることなく、冷媒の流れが形成される。
【０１８６】
下流側コア２２ｂに流れ込んだ冷媒は、下流側コア２２ｂを構成するチューブ２２２を流れる。チューブ２２２を流れる冷媒は、隣接するチューブ２２２の間であってフィン２２３を通過する空気と熱交換しながら流れる。
【０１８７】
下流側コア２２ｂを流れた冷媒は、流出入タンク２１Ｋの流出側内部空間２１５Ｋに流れ込む。流出側内部空間２１５Ｋに流れ込んだ冷媒は、流出部２１２から流出してヒートポンプサイクルに還流する。
【０１８８】
本実施形態では、仕切部２３４Ｋは、流出入仕切部２１４Ｋよりも流出部２１２側に偏倚するように配置されている。仕切部２３４Ｋは、流出入仕切部２１４Ｋよりも流出部２１２側に偏倚するように配置されているので、上流側内部空間２３２Ｋの一部が流出側内部空間２１５Ｋに対向することになり、上流側内部空間２３２Ｋから流出側内部空間２１５Ｋに向けた冷媒の流れを形成することできる。従って、下流側内部空間２３２Ｋから流出側内部空間２１５Ｋに向けた冷媒の流れとあわせて、下流側コア２２ｂを有効に活用して熱交換することができる。
【０１８９】
続いて、熱交換器２Ｋにおける下流側内部空間２３２Ｋにおける冷媒の分散性をより向上させた熱交換器２Ｌについて、図１２を参照しながら説明する。熱交換器２Ｌは、熱交換器２Ｋのターン側タンク２３Ｋを、ターン側タンク２３Ｌに入れ替えたものである。
【０１９０】
ターン側タンク２３Ｌには、上流側内部空間２３２Ｌと、下流側内部空間２３３Ｌと、最下流側内部空間２３６Ｌが形成されている。上流側内部空間２３２Ｌと下流側内部空間２３３Ｌとは、仕切部２３４Ｌによって仕切られている。下流側内部空間２３３Ｌと最下流側内部空間２３６Ｌとは、仕切部２３５Ｌによって仕切られている。
【０１９１】
仕切部２３４Ｌは、上流側内部空間２３２Ｌと下流側内部空間２３３Ｌとを仕切ると共に冷媒の流れを堰き止める機能を果たしている。仕切部２３４Ｌによって堰き止められた冷媒を流すため、上流側内部空間２３２Ｌを下流側内部空間２３３Ｌ及び最下流側内部空間２３６Ｌと繋ぐ接続流路２３１Ｌが設けられている。
【０１９２】
接続流路２３１Ｌは、流路流入部分２３１Ｌａと、流路流出部分２３１Ｌｂと、流路流出部分２３１Ｌｃと、を有している。流路流入部分２３１Ｌａは、接続流路２３１Ｌが上流側内部空間２３２Ｌに繋がる部分である。流路流出部分２３１Ｌｂは、接続流路２３１Ｌが下流側内部空間２３３Ｌに繋がる部分である。流路流出部分２３１Ｌｃは、接続流路２３１Ｌが最下流側内部空間２３６Ｌに繋がる部分である。
【０１９３】
本実施形態の場合、流出入仕切部２１４Ｋよりも仕切部２３４Ｌがｙ軸方向下方にずれるように配置されている。従って、上流側内部空間２３２Ｌの仕切部２３４Ｌ近傍の領域が下流側コア２２ｂに臨むように構成されている。
【０１９４】
上流側コア２２ａを流れた冷媒は、上流側内部空間２３２Ｌに流れ込み、仕切部２３４Ｌによって一旦慣性力が減じられる。慣性力が減じられた冷媒の一部は、流路流入部分２３１Ｌａから接続流路２３１Ｌに流れ込む。慣性力が減じられた冷媒の残部は、下流側コア２２ｂの上方領域に流れ込む。下流側コア２２ｂの上方領域は、上流側コア２２ａ近傍の領域である。
【０１９５】
接続流路２３１Ｌに流れ込んだ冷媒の一部は、流路流出部分２３１Ｌｂから下流側内部空間２３３Ｌに流れ込む。接続流路２３１Ｌに流れ込んだ冷媒の残部は、流路流出部分２３１Ｌｃから最下流側内部空間２３６Ｌに流れ込む。
【０１９６】
接続流路２３１Ｌに流れ込んだ冷媒は、下流側内部空間２３３Ｌと最下流側内部空間２３６Ｌとに分散して流れ込む。従って、下流側コア２２ｂの下方に偏ることなく、冷媒の流れが形成される。
【０１９７】
下流側コア２２ｂに流れ込んだ冷媒は、下流側コア２２ｂを構成するチューブ２２２を流れる。チューブ２２２を流れる冷媒は、隣接するチューブ２２２の間であってフィン２２３を通過する空気と熱交換しながら流れる。
【０１９８】
下流側コア２２ｂを流れた冷媒は、流出入タンク２１Ｋの流出側内部空間２１５Ｋに流れ込む。流出側内部空間２１５Ｋに流れ込んだ冷媒は、流出部２１２から流出してヒートポンプサイクルに還流する。
【０１９９】
熱交換器２Ｌは、接続流路２３１Ｌが下流側内部空間である下流側内部空間２３３Ｌ及び最下流側内部空間２３６Ｌに繋がる流路流出部分が少なくとも２分岐され、流路流出部分２３１Ｌｂ及び流路流出部分２３１Ｌｃが形成されている。流路流出部分が少なくとも２分岐されているので、冷媒の分散性をより高めることができる。
【０２００】
続いて、図１３を参照しながら、熱交換器２Ｋに対して下方から冷媒を導入する場合の変形例である熱交換器２Ｍについて説明する。図１３に示されるように、熱交換器２Ｍは、タンクとして流出入タンク２１Ｍ及びターン側タンク２３Ｍと、熱交換部２２Ｍと、を備えている。図１３においては、流出入タンク２１Ｍ及びターン側タンク２３Ｍの長手方向に沿ってｙ軸を設定している。ｙ軸に直交し、流出入タンク２１Ｍからターン側タンク２３Ｍに伸びる方向に沿ってｘ軸を設定している。ｘ軸及びｙ軸に直交する方向に沿ってｚ軸を設定している。
【０２０１】
流出入タンク２１Ｍには、流入側内部空間２１３Ｍと、流出側内部空間２１５Ｍと、が形成されている。流入側内部空間２１３Ｍと流出側内部空間２１５Ｍとは、流出入仕切部２１４Ｍによって仕切られている。
【０２０２】
流入側内部空間２１３Ｍには、流入部２１１が繋がれている。流入部２１１には、ヒートポンプサイクルを流れる冷媒が流入する。流入部２１１から流入側内部空間２１３Ｍに流入する冷媒は、暖房時には気液二相冷媒であり、冷房時には気相冷媒である。
【０２０３】
流出側内部空間２１５Ｍには、流出部２１２が繋がれている。流入部２１１から流入して熱交換部２２を通った冷媒は、流出部２１２からヒートポンプサイクルに還流する。
【０２０４】
流入側内部空間２１３Ｍに流入した冷媒は、熱交換部２２Ｍに流れ込む。熱交換部２２Ｍは、上流側コア２２Ｍａと、下流側コア２２Ｍｂと、を備えている。流入側内部空間２１３Ｍに流入した冷媒は、上流側コア２２Ｍａに流れ込む。
【０２０５】
上流側コア２２Ｍａ及び下流側コア２２Ｍｂは、それぞれ、サイドプレート２２１と、チューブ２２２と、フィン２２３と、を備えている。
【０２０６】
チューブ２２２とフィン２２３とは、交互に積層されている。交互に積層されたチューブ２２２及びフィン２２３は、一対のサイドプレート２２１によって挟まれている。熱交換部２２Ｍに流れ込む冷媒は、チューブ２２２を流れる。チューブ２２２を流れる冷媒は、隣接するチューブ２２２の間であってフィン２２３を通過する空気と熱交換しながら流れる。
【０２０７】
上流側コア２２Ｍａを流れた冷媒は、ターン側タンク２３Ｍに流れ込む。ターン側タンク２３Ｍには、上流側内部空間２３２Ｍと、下流側内部空間２３３Ｍと、が形成されている。上流側内部空間２３２Ｍと下流側内部空間２３３Ｍとは、仕切部２３４Ｍによって仕切られている。
【０２０８】
仕切部２３４Ｍは、上流側内部空間２３２Ｍと下流側内部空間２３３Ｍとを仕切ると共に冷媒の流れを堰き止める機能を果たしている。仕切部２３４Ｍによって堰き止められた冷媒を流すため、上流側内部空間２３２Ｍを下流側内部空間２３３Ｍと繋ぐ接続流路２３１Ｍが設けられている。
【０２０９】
接続流路２３１Ｍは、流路流入部分２３１Ｍａと、流路流出部分２３１Ｍｂと、を有している。流路流入部分２３１Ｍａは、接続流路２３１Ｍが上流側内部空間２３２Ｍに繋がる部分である。流路流出部分２３１Ｍｂは、接続流路２３１Ｍが下流側内部空間２３３Ｍに繋がる部分である。
【０２１０】
本実施形態の場合、流出入仕切部２１４Ｍよりも仕切部２３４Ｍがｙ軸方向上方にずれるように配置されている。従って、上流側内部空間２３２Ｍの仕切部２３４Ｍ近傍の領域が下流側コア２２Ｍｂに臨むように構成されている。
【０２１１】
上流側コア２２Ｍａを流れた冷媒は、上流側内部空間２３２Ｍに流れ込み、仕切部２３４Ｍによって一旦慣性力が減じられる。慣性力が減じられた冷媒の一部は、流路流入部分２３１Ｍａから接続流路２３１Ｍに流れ込む。慣性力が減じられた冷媒の残部は、下流側コア２２Ｍｂの下方領域に流れ込む。下流側コア２２Ｍｂの下方領域は、上流側コア２２Ｍａ近傍の領域である。
【０２１２】
接続流路２３１Ｍに流れ込んだ冷媒は、流路流出部分２３１Ｍｂから下流側内部空間２３３Ｍに流れ込む。流路流出部分２３１Ｍｂは、下流側内部空間２３３Ｍの上方端に近接した部分に繋がれている。下流側内部空間２３３Ｍの上方端とは、下流側内部空間２３３Ｍにおいて、仕切部２３４Ｍとは反対側の端部である。
【０２１３】
流路流出部分２３１Ｍｂにおいて慣性力が再び付加され、下流側内部空間２３３Ｍの上方端に導入される冷媒は、下流側コア２２Ｍｂに向かって流れると共に仕切部２３４Ｍに向かっても流れる。従って、下流側コア２２Ｍｂの上方に偏ることなく、冷媒の流れが形成される。
【０２１４】
下流側コア２２Ｍｂに流れ込んだ冷媒は、下流側コア２２Ｍｂを構成するチューブ２２２を流れる。チューブ２２２を流れる冷媒は、隣接するチューブ２２２の間であってフィン２２３を通過する空気と熱交換しながら流れる。
【０２１５】
下流側コア２２Ｍｂを流れた冷媒は、流出入タンク２１Ｍの流出側内部空間２１５Ｍに流れ込む。流出側内部空間２１５Ｍに流れ込んだ冷媒は、流出部２１２から流出してヒートポンプサイクルに還流する。
【０２１６】
熱交換器２Ｍは、熱交換器２Ｋと同様の作用効果を奏するので、その説明を省略する。
【０２１７】
第１実施形態から第６実施形態では、タンクは、その長手方向が重力上下方向に沿うように配置されている。タンクの長手方向が重力上下方向に沿うような冷媒の分散にとって厳しい環境であっても、仕切部及び接続流路の慣性力調整機能によって冷媒の分散性を確保することができる。
【０２１８】
続いて、冷媒を水平横方向から導入する場合の例である、第７実施形態に係る熱交換器２Ｐについて、図１４を参照しながら説明する。熱交換器２Ｎは、タンクとして流出入タンク２１Ｎ及びターン側タンク２３Ｎと、熱交換部２２Ｎと、を備えている。図１４においては、流出入タンク２１Ｎ及びターン側タンク２３Ｎの長手方向に沿ってｘ軸を設定している。ｘ軸に直交し、流出入タンク２１Ｎからターン側タンク２３Ｎに伸びる方向に沿ってｙ軸を設定している。ｘ軸及びｙ軸に直交する方向に沿ってｚ軸を設定している。
【０２１９】
流出入タンク２１Ｎには、流入側内部空間２１３Ｎと、流出側内部空間２１５Ｎと、が形成されている。流入側内部空間２１３Ｎと流出側内部空間２１５Ｎとは、流出入仕切部２１４Ｎによって仕切られている。
【０２２０】
流入側内部空間２１３Ｎには、ｘ軸方向に沿って流入部２１１Ｎが繋がれている。流入部２１１Ｎには、ヒートポンプサイクルを流れる冷媒が流入する。流入部２１１Ｎから流入側内部空間２１３Ｎに流入する冷媒は、暖房時には気液二相冷媒であり、冷房時には気相冷媒である。
【０２２１】
流出側内部空間２１５Ｎには、ｘ軸方向に沿って流出部２１２Ｎが繋がれている。流入部２１１Ｎから流入して熱交換部２２Ｎを通った冷媒は、流出部２１２Ｎからヒートポンプサイクルに還流する。
【０２２２】
流入側内部空間２１３Ｎに流入した冷媒は、熱交換部２２Ｎに流れ込む。熱交換部２２Ｎは、上流側コア２２Ｎａと、下流側コア２２Ｎｂと、を備えている。流入側内部空間２１３Ｎに流入した冷媒は、上流側コア２２Ｎａに流れ込む。
【０２２３】
上流側コア２２Ｎａ及び下流側コア２２Ｎｂは、それぞれ、サイドプレート２２１と、チューブ２２２と、フィン２２３と、を備えている。
【０２２４】
チューブ２２２とフィン２２３とは、交互に積層されている。交互に積層されたチューブ２２２及びフィン２２３は、一対のサイドプレート２２１によって挟まれている。熱交換部２２Ｎに流れ込む冷媒は、チューブ２２２を流れる。チューブ２２２を流れる冷媒は、隣接するチューブ２２２の間であってフィン２２３を通過する空気と熱交換しながら流れる。
【０２２５】
上流側コア２２Ｎａを流れた冷媒は、ターン側タンク２３Ｎに流れ込む。ターン側タンク２３Ｎには、上流側内部空間２３２Ｎと、下流側内部空間２３３Ｎと、が形成されている。上流側内部空間２３２Ｎと下流側内部空間２３３Ｎとは、仕切部２３４Ｎによって仕切られている。
【０２２６】
仕切部２３４Ｎは、上流側内部空間２３２Ｎと下流側内部空間２３３Ｎとを仕切ると共に冷媒の流れを堰き止める機能を果たしている。仕切部２３４Ｎによって堰き止められた冷媒を流すため、上流側内部空間２３２Ｎを下流側内部空間２３３Ｎと繋ぐ接続流路２３１Ｎが設けられている。
【０２２７】
接続流路２３１Ｎは、流路流入部分２３１Ｎａと、流路流出部分２３１Ｎｂと、を有している。流路流入部分２３１Ｎａは、接続流路２３１Ｎが上流側内部空間２３２Ｎに繋がる部分である。流路流出部分２３１Ｎｂは、接続流路２３１Ｎが下流側内部空間２３３Ｎに繋がる部分である。上流側コア２２Ｎａを流れた冷媒は、上流側内部空間２３２Ｎに流れ込み、仕切部２３４Ｎによって一旦慣性力が減じられる。慣性力が減じられた冷媒は、流路流入部分２３１Ｎａから接続流路２３１Ｎに流れ込む。接続流路２３１Ｎに流れ込んだ冷媒は、流路流出部分２３１Ｎｂから下流側内部空間２３３Ｎに流れ込む。
【０２２８】
流路流出部分２３１Ｎｂは、下流側内部空間２３３Ｎの下流側端に近接した部分に繋がれている。下流側内部空間２３３Ｎの下流側端とは、下流側内部空間２３３Ｎにおいて、仕切部２３４Ｎとは反対側の端部である。
【０２２９】
流路流出部分２３１Ｎｂにおいて慣性力が再び付加され、下流側内部空間２３３Ｎの下流側端に導入される冷媒は、下流側コア２２Ｎｂに向かって流れると共に仕切部２３４Ｎに向かっても流れる。従って、下流側コア２２Ｎｂの一方に偏ることなく、冷媒の流れが形成される。
【０２３０】
下流側コア２２Ｎｂに流れ込んだ冷媒は、下流側コア２２Ｎｂを構成するチューブ２２２を流れる。チューブ２２２を流れる冷媒は、隣接するチューブ２２２の間であってフィン２２３を通過する空気と熱交換しながら流れる。
【０２３１】
下流側コア２２Ｎｂを流れた冷媒は、流出入タンク２１Ｎの流出側内部空間２１５Ｎに流れ込む。流出側内部空間２１５Ｎに流れ込んだ冷媒は、流出部２１２Ｎから流出してヒートポンプサイクルに還流する。
【０２３２】
熱交換器２Ｎは、熱交換器２と同様の作用効果を奏するので、その説明を省略する。
【０２３３】
続いて、図１５を参照しながら、第７実施形態である熱交換器２Ｎの変形例に係る熱交換器２Ｐについて説明する。熱交換器２Ｐは、熱交換器２Ｎのターン側タンク２３Ｎを、ターン側タンク２３Ｐとしたものである。ターン側タンク２３Ｐ以外の部分は熱交換器２Ｎと同様であるので、その説明を省略する。図１５においては、流出入タンク２１Ｎ及びターン側タンク２３Ｐの長手方向に沿ってｘ軸を設定している。ｘ軸に直交し、流出入タンク２１Ｎからターン側タンク２３Ｐに伸びる方向に沿ってｙ軸を設定している。ｘ軸及びｙ軸に直交する方向に沿ってｚ軸を設定している。
【０２３４】
ターン側タンク２３Ｐには、上流側内部空間２３２Ｎと、下流側内部空間２３３Ｎと、が形成されている。上流側内部空間２３２Ｎと下流側内部空間２３３Ｎとは、仕切部２３４Ｎによって仕切られている。
【０２３５】
仕切部２３４Ｎは、上流側内部空間２３２Ｎと下流側内部空間２３３Ｎとを仕切ると共に冷媒の流れを堰き止める機能を果たしている。仕切部２３４Ｎによって堰き止められた冷媒を流すため、上流側内部空間２３２Ｎを下流側内部空間２３３Ｎと繋ぐ接続流路２３１Ｐが設けられている。
【０２３６】
接続流路２３１Ｐは、流路流入部分２３１Ｐａと、流路流出部分２３１Ｐｂと、を有している。流路流入部分２３１Ｐａは、接続流路２３１Ｐが上流側内部空間２３２Ｎに繋がる部分である。流路流出部分２３１Ｐｂは、接続流路２３１Ｐが下流側内部空間２３３Ｎに繋がる部分である。上流側コア２２Ｎａを流れた冷媒は、上流側内部空間２３２Ｎに流れ込み、仕切部２３４Ｎによって一旦慣性力が減じられる。慣性力が減じられた冷媒は、流路流入部分２３１Ｐａから接続流路２３１Ｐに流れ込む。接続流路２３１Ｐに流れ込んだ冷媒は、流路流出部分２３１Ｐｂから下流側内部空間２３３Ｎに流れ込む。
【０２３７】
流路流出部分２３１Ｐｂは、下流側内部空間２３３Ｎの上流側端に近接した部分に繋がれている。下流側内部空間２３３Ｎの上流側端とは、下流側内部空間２３３Ｎにおいて、仕切部２３４Ｎ側の端部である。
【０２３８】
熱交換器２Ｎに比較して熱交換器２Ｐは、流路流出部分２３１Ｐｂより流出した冷媒が仕切部２３４Ｎにも向かうため、下流側内部空間２３３Ｎにおいて冷媒が下部の局所に偏流しない。従って、下流側コア２２Ｎｂの一部に偏ることなく、冷媒の流れが形成される。熱交換器２Ｎが奏する作用効果は、この熱交換器２Ｐ特有の作用効果と矛盾しない限り奏することができる。
【０２３９】
続いて、図１６を参照しながら、第８実施形態に係る熱交換器２Ｑについて説明する。熱交換器２Ｑは、熱交換器２Ｎのターン側タンク２３Ｎをターン側タンク２３Ｑに入れ替えたものである。図１６においては、流出入タンク２１Ｎ及びターン側タンク２３Ｑの長手方向に沿ってｘ軸を設定している。ｘ軸に直交し、流出入タンク２１Ｎからターン側タンク２３Ｑに伸びる方向に沿ってｙ軸を設定している。ｘ軸及びｙ軸に直交する方向に沿ってｚ軸を設定している。
【０２４０】
上流側コア２２Ｎａを流れた冷媒は、ターン側タンク２３Ｑに流れ込む。ターン側タンク２３Ｑには、上流側内部空間２３２Ｑと、下流側内部空間２３３Ｑと、最下流側内部空間２３６Ｑと、が形成されている。上流側内部空間２３２Ｑと下流側内部空間２３３Ｑとは、仕切部２３４Ｑによって仕切られている。下流側内部空間２３３Ｑと最下流側内部空間２３６Ｑとは、仕切部２３７Ｑによって仕切られている。
【０２４１】
仕切部２３４Ｑは、上流側内部空間２３２Ｑと下流側内部空間２３３Ｑとを仕切ると共に冷媒の流れを堰き止める機能を果たしている。仕切部２３４Ｑによって堰き止められた冷媒を流すため、上流側内部空間２３２Ｑを下流側内部空間２３３Ｑと繋ぐ接続流路２３１Ｑが設けられている。
【０２４２】
接続流路２３１Ｑは、流路流入部分２３１Ｑａと、流路流出部分２３１Ｑｂと、を有している。流路流入部分２３１Ｑａは、接続流路２３１Ｑが上流側内部空間２３２Ｑに繋がる部分である。流路流出部分２３１Ｑｂは、接続流路２３１Ｑが下流側内部空間２３３Ｑに繋がる部分である。上流側コア２２Ｎａを流れた冷媒は、上流側内部空間２３２Ｑに流れ込み、仕切部２３４Ｑによって一旦慣性力が減じられる。慣性力が減じられた冷媒は、流路流入部分２３１Ｑａから接続流路２３１Ｑに流れ込む。接続流路２３１Ｑに流れ込んだ冷媒は、流路流出部分２３１Ｑｂから下流側内部空間２３３Ｑに流れ込む。
【０２４３】
流路流出部分２３１Ｑｂは、下流側内部空間２３３Ｑの上流側端に近接した部分に繋がれている。下流側内部空間２３３Ｑの上流側端とは、下流側内部空間２３３Ｑにおいて、仕切部２３４Ｑ側の端部である。
【０２４４】
仕切部２３７Ｑは、下流側内部空間２３３Ｑと最下流側内部空間２３６Ｑとを仕切ると共に冷媒の流れを堰き止める機能を果たしている。仕切部２３７Ｑによって堰き止められた冷媒を流すため、下流側内部空間２３３Ｑを最下流側内部空間２３６Ｑと繋ぐ接続流路２３５Ｑが設けられている。
【０２４５】
接続流路２３５Ｑは、流路流入部分２３５Ｑａと、流路流出部分２３５Ｑｂと、を有している。流路流入部分２３５Ｑａは、接続流路２３５Ｑが下流側内部空間２３３Ｑに繋がる部分である。流路流出部分２３５Ｑｂは、接続流路２３５Ｑが最下流側内部空間２３６Ｑに繋がる部分である。接続流路２３１Ｑを流れた冷媒は、下流側内部空間２３３Ｑに流れ込み、仕切部２３７Ｑによって一旦慣性力が減じられる。慣性力が減じられた冷媒は、流路流入部分２３５Ｑａから接続流路２３５Ｑに流れ込む。接続流路２３５Ｑに流れ込んだ冷媒は、流路流出部分２３５Ｑｂから最下流側内部空間２３６Ｑに流れ込む。
【０２４６】
流路流出部分２３５Ｑｂは、最下流側内部空間２３６Ｑの上流側端に近接した部分に繋がれている。最下流側内部空間２３６Ｑの上流側端とは、最下流側内部空間２３６Ｑにおいて、仕切部２３７Ｑ側の端部である。
【０２４７】
流路流出部分２３１Ｑｂから下流側内部空間２３３Ｑの上流側端に導入される冷媒及び流路流出部分２３５Ｑｂから最下流側内部空間２３６Ｑの上流側端に導入される冷媒は、下流側コア２２Ｎｂの局所に偏ることなく、冷媒の流れが形成される。
【０２４８】
下流側コア２２Ｎｂに流れ込んだ冷媒は、下流側コア２２Ｎｂを構成するチューブ２２２を流れる。チューブ２２２を流れる冷媒は、隣接するチューブ２２２の間であってフィン２２３を通過する空気と熱交換しながら流れる。
【０２４９】
下流側コア２２Ｎｂを流れた冷媒は、流出入タンク２１Ｎの流出側内部空間２１５Ｎに流れ込む。流出側内部空間２１５Ｎに流れ込んだ冷媒は、流出部２１２Ｎから流出してヒートポンプサイクルに還流する。
【０２５０】
続いて、図１７を参照しながら、仕切部が段違いに配置された例である、第９実施形態に係る熱交換器２Ｒについて説明する。
【０２５１】
熱交換器２Ｒは、タンクとして流出入タンク２１Ｎ及びターン側タンク２３Ｒと、熱交換部２２Ｎと、を備えている。熱交換器２Ｒは、熱交換器２Ｎのターン側タンク２３Ｎを、ターン側タンク２３Ｒとしたものである。ターン側タンク２３Ｒ以外の部分は熱交換器２Ｎと同様であるので、その説明を省略する。図１７においては、流出入タンク２１Ｎ及びターン側タンク２３Ｒの長手方向に沿ってｘ軸を設定している。ｘ軸に直交し、流出入タンク２１Ｎからターン側タンク２３Ｒに伸びる方向に沿ってｙ軸を設定している。ｘ軸及びｙ軸に直交する方向に沿ってｚ軸を設定している。
【０２５２】
ターン側タンク２３Ｒには、上流側内部空間２３２Ｒと、下流側内部空間２３３Ｒと、が形成されている。上流側内部空間２３２Ｒと下流側内部空間２３３Ｒとは、仕切部２３４Ｒによって仕切られている。
【０２５３】
仕切部２３４Ｒは、上流側内部空間２３２Ｒと下流側内部空間２３３Ｒとを仕切ると共に冷媒の流れを堰き止める機能を果たしている。仕切部２３４Ｒによって堰き止められた冷媒を流すため、上流側内部空間２３２Ｒを下流側内部空間２３３Ｒと繋ぐ接続流路２３１Ｒが設けられている。
【０２５４】
接続流路２３１Ｒは、流路流入部分２３１Ｒａと、流路流出部分２３１Ｒｂと、を有している。流路流入部分２３１Ｒａは、接続流路２３１Ｒが上流側内部空間２３２Ｒに繋がる部分である。流路流出部分２３１Ｒｂは、接続流路２３１Ｒが下流側内部空間２３３Ｒに繋がる部分である。
【０２５５】
本実施形態の場合、流出入仕切部２１４Ｎよりも仕切部２３４Ｒがｘ軸の正方向にずれるように配置されている。従って、上流側内部空間２３２Ｒの仕切部２３４Ｒ近傍の領域が下流側コア２２Ｎｂに臨むように構成されている。
【０２５６】
上流側コア２２Ｎａを流れた冷媒は、上流側内部空間２３２Ｒに流れ込み、仕切部２３４Ｒによって一旦慣性力が減じられる。慣性力が減じられた冷媒の一部は、流路流入部分２３１Ｒａから接続流路２３１Ｒに流れ込む。慣性力が減じられた冷媒の残部は、下流側コア２２Ｎｂの上流側領域に流れ込む。下流側コア２２Ｎｂの上流側領域は、上流側コア２２Ｎａ近傍の領域である。
【０２５７】
接続流路２３１Ｒに流れ込んだ冷媒は、流路流出部分２３１Ｒｂから下流側内部空間２３３Ｒに流れ込む。流路流出部分２３１Ｒｂは、下流側内部空間２３３Ｒの上流側端に近接した部分に繋がれている。下流側内部空間２３３Ｒの上流側端とは、下流側内部空間２３３Ｒにおいて、仕切部２３４Ｒ側の端部である。
【０２５８】
下流側内部空間２３３Ｒの上流側端に導入される冷媒は、下流側内部空間２３３Ｒにおいて拡散し、下流側コア２２Ｎｂに流れ込む。従って、下流側コア２２Ｎｂの一部に偏ることなく、冷媒の流れが形成される。
【０２５９】
下流側コア２２Ｎｂに流れ込んだ冷媒は、下流側コア２２ｂを構成するチューブ２２２を流れる。チューブ２２２を流れる冷媒は、隣接するチューブ２２２の間であってフィン２２３を通過する空気と熱交換しながら流れる。
【０２６０】
下流側コア２２Ｎｂを流れた冷媒は、流出入タンク２１Ｎの流出側内部空間２１５Ｎに流れ込む。流出側内部空間２１５Ｎに流れ込んだ冷媒は、流出部２１２Ｎから流出してヒートポンプサイクルに還流する。
【０２６１】
本実施形態では、仕切部２３４Ｒは、流出入仕切部２１４Ｎよりも流出部２１２Ｎ側に偏倚するように配置されている。仕切部２３４Ｒは、流出入仕切部２１４Ｎよりも流出部２１２Ｎ側に偏倚するように配置されているので、上流側内部空間２３２Ｒの一部が流出側内部空間２１５Ｎに対向することになり、上流側内部空間２３２Ｒから流出側内部空間２１５Ｎに向けた冷媒の流れを形成することできる。従って、下流側内部空間２３２Ｒから流出側内部空間２１５Ｎに向けた冷媒の流れとあわせて、下流側コア２２Ｎｂを有効に活用して熱交換することができる。
【０２６２】
以上、具体例を参照しつつ本実施形態について説明した。しかし、本開示はこれらの具体例に限定されるものではない。これら具体例に、当業者が適宜設計変更を加えたものも、本開示の特徴を備えている限り、本開示の範囲に包含される。前述した各具体例が備える各要素およびその配置、条件、形状などは、例示したものに限定されるわけではなく適宜変更することができる。前述した各具体例が備える各要素は、技術的な矛盾が生じない限り、適宜組み合わせを変えることができる。
【符号の説明】
【０２６３】
２１１，２１１Ａ，２１１Ｃ，２３１Ｄ，２１１Ｈ，２１１Ｊ，２１１Ｎ：流入部
２２，２２Ａ，２２Ｃ，２２Ｄ，２２Ｍ，２２Ｎ：熱交換部
２１２，２１２Ａ，２１２Ｃ，２３１Ｄ，２３１Ｊ，２１２Ｎ：流出部
２３２，２３２Ａ，２３２Ｃ，２１３Ｄ，２３２Ｆ，２３２Ｇ，２１３Ｈ，２１３Ｊ，２３２Ｋ，２３２Ｌ，２３２Ｍ，２３２Ｎ，２３２Ｑ，２３２Ｒ：上流側内部空間
２３３，２３３Ａ，２３３Ｃ，２１５Ｄ，２３３Ｆ，２３３Ｇ，２１５Ｈ，２１５Ｊ，２３３Ｋ，２３３Ｌ，２３３Ｍ，２３３Ｎ，２３３Ｑ，２３３Ｒ：下流側内部空間
２３４，２３４Ａ，２３４Ｃ，２１４Ｄ，２３４Ｆ，２３４Ｇ，２１４Ｈ，２１４Ｊ，２３４Ｋ，２３４Ｌ，２３４Ｍ，２３４Ｎ，２３４Ｑ，２３４Ｒ：仕切部
２３１，２３１Ａ，２３１Ｂ，２３１Ｃ，２１２Ｄ，２１２Ｅ，２３１Ｆ，２３１Ｇ，２１２Ｈ，２１２Ｊ，２３１Ｋ，２３１Ｌ，２３１Ｍ，２３１Ｎ，２３１Ｐ，２３１Ｑ，２３１Ｒ：接続流路
【図１】
2019100568.tif 000003
【図２】
2019100568.tif 000004
【図３】
2019100568.tif 000005
【図４】
2019100568.tif 000006
【図５】
2019100568.tif 000007
【図６】
2019100568.tif 000008
【図７】
2019100568.tif 000009
【図８】
2019100568.tif 000010
【図９】
2019100568.tif 000011
【図１０】
2019100568.tif 000012
【図１１】
2019100568.tif 000013
【図１２】
2019100568.tif 000014
【図１３】
2019100568.tif 000015
【図１４】
2019100568.tif 000016
【図１５】
2019100568.tif 000017
【図１６】
2019100568.tif 000018
【図１７】
2019100568.tif 000019
【図１８】
2019100568.tif 000020